(57)【要約】【課題】区画部材と板材とを用いてプレートを形成した場合、プレートの面精度が低下するおそれがある。【解決手段】プレート１００は、第一面を有する板材１３０と、隔壁２２によって複数の区画が形成された区画部材１２０と、を備え、隣り合う前記隔壁２２の間であって前記第一面側に空隙２８が形成され、前記隔壁２２の前記空隙２８側の端部は前記板材１３０の前記第一面に接合する溶着部を有し、前記溶着部において前記板材１３０と前記区画部材１２０とが溶着されている。【選択図】図４
2018023973.tif 000002
【特許請求の範囲】
【請求項１】
第一面を有する板材と、
隔壁によって複数の区画が形成された区画部材と、を備え、
隣り合う前記隔壁の間であって前記第一面側に空隙が形成され、
前記隔壁の前記空隙側の端部は前記板材の前記第一面に接合する溶着部を有し、前記溶着部において前記板材と前記区画部材とが溶着されている、
ことを特徴とするプレート。
【請求項２】
超音波溶着によって前記板材と前記区画部材とが接合されていることを特徴とする、請求項１に記載のプレート。
【請求項３】
前記溶着部は前記隔壁の全周にわたって前記板材の前記第一面に溶着されていることを特徴とする、請求項１又は２に記載のプレート。
【請求項４】
前記溶着部は前記隔壁の周上の一部において前記板材の前記第一面に溶着されていることを特徴とする、請求項１又は２に記載のプレート。
【請求項５】
前記溶着部は突起状であり、前記区画部材と前記板材の間に配置されたシール部材を備えることを特徴とする、請求項４に記載のプレート。
【請求項６】
前記突起状溶着部は前記シール部材を貫通していることを特徴とする、請求項５に記載のプレート。
【請求項７】
前記板材と前記区画部材は光学的に透明な同一の樹脂材料で形成されていることを特徴とする、請求項１から６のいずれか一項に記載のプレート。
【請求項８】
前記区画の開口面を被覆する保護フィルムを備えることを特徴とする、請求項１から７のいずれか一項に記載のプレート。
【請求項９】
前記第一面のうち前記区画の底面に配置されたバイオチップを備えることを特徴とする、請求項１から８のいずれか一項に記載のプレート。
【請求項１０】
板材の第一面に区画部材を接合することによって形成された複数のウェルを有するプレートの製造方法であって、
前記ウェルを形成している前記区画部材の隔壁は、隣り合う隔壁との間であって前記板材の第一面側に空隙を有し、
前記隔壁の前記空隙側の端部に設けられた溶着部において前記板材の前記第一面と前記区画部材とを溶着する溶着工程を含む、プレートの製造方法。
【請求項１１】
前記溶着工程において、前記区画部材の前記溶着部と前記板材の前記第一面とを接触させ、融点を超えるまで加熱して圧力を加えることで接合させることを特徴とする、請求項１０に記載のプレートの製造方法。
【請求項１２】
前記溶着工程において、前記区画部材の前記溶着部と前記板材の前記第一面とを超音波溶着することを特徴とする、請求項１０又は１１に記載のプレートの製造方法。
【請求項１３】
前記板材の前記第一面上に前記隔壁の前記空隙側の端部の形状に沿った形状のシール部材を備え、
前記シール部材と前記区画部材の前記溶着部との位置を合わせる位置合わせ工程を含むことを特徴とする、請求項１０から１２のいずれか一項に記載のプレートの製造方法。
【請求項１４】
前記溶着工程において、前記溶着部を前記板材の前記第一面に対して前記隔壁の全周にわたって溶着することを特徴とする、請求項１０から１３のいずれか一項に記載のプレートの製造方法。
【請求項１５】
前記溶着工程において、前記溶着部を前記板材の前記第一面に対して前記隔壁の周上の一部において溶着することを特徴とする、請求項１０から１３のいずれか一項に記載のプレートの製造方法。
【請求項１６】
前記溶着部を前記シール部材に挿通させて、前記板材の前記第一面と前記区画部材の前記溶着部とを接触させる挿通工程を含むことを特徴とする、請求項１３に記載のプレートの製造方法。
【請求項１７】
請求項９に記載のプレートから前記区画部材を取り外す工程と、
前記板材の前記第一面に配置された前記バイオチップを観察する観察工程と、
を含むことを特徴とするバイオチップの観察方法。
【請求項１８】
バイオチップを有するプレートを用いたスクリーニング方法であって、
前記バイオチップ上に固定された生体分子と特異的に反応可能な標的を含む検体を、請求項９に記載のプレートに分注する分注工程と、
前記プレートを洗浄する洗浄工程と、
前記プレートを乾燥する乾燥工程と、
前記標的と前記生体分子との親和性を検出する検出工程と、
を含むことを特徴とする、スクリーニング方法。
【請求項１９】
板材と、
溶着により前記板材に接合され、バイオチップを支持するための支持領域を規定する規定部材と、
を備えることを特徴とするプレート。
【請求項２０】
請求項１９に記載のプレートにおいて、
前記規定部材は、
溶着により前記板材に接合され、第１バイオチップを支持するための第１支持領域を規定する第１規定部材と、
前記第１規定部材とは別体で構成された部材であって、溶着により前記板材に接合され、第２バイオチップを支持するための第２支持領域を規定する第２規定部材と、
を有することを特徴とするプレート。
【請求項２１】
請求項２０に記載のプレートにおいて、
前記板材の前記規定部材と接合する面に垂直な方向において、前記第１規定部材の長さと前記第２規定部材の長さが同じであることを特徴とするプレート。
【請求項２２】
請求項１９から２１のいずれか一項に記載のプレートにおいて、
前記規定部材は、前記板材と接合する端部に空隙を有することを特徴とするプレート。
【請求項２３】
請求項１９から２２のいずれか一項に記載のプレートにおいて、
前記規定部材により規定された前記支持領域は、円形の形状を有することを特徴とするプレート。
【請求項２４】
請求項１９から２３のいずれか一項に記載のプレートにおいて、
前記板材は、透光性を有する材料で形成されていることを特徴とするプレート。
【請求項２５】
請求項１９から２４のいずれか一項に記載のプレートにおいて、
前記規定部材は、透光性を有する材料で形成されていることを特徴とするプレート。
【請求項２６】
請求項１９から２５のいずれか一項に記載のプレートにおいて、
前記板材は、前記規定部材と同一の材料で形成されていることを特徴とするプレート。
【請求項２７】
請求項１９から２６のいずれか一項に記載のプレートにおいて、
前記規定部材は、超音波溶着により前記板材に接合されていることを特徴とするプレート。
【発明の詳細な説明】
【技術分野】
【０００１】
本発明は、プレート、プレートの製造方法、バイオチップの観察方法、及びスクリーニング方法に関する。
【背景技術】
【０００２】
プレート本体に設けられた各セルの一端側開口部を閉止する底部透明板材が接着剤を介してプレート本体底部１ａに接着されているマイクロプレートが知られている（例えば、特許文献１参照）。
【先行技術文献】
【特許文献】
【０００３】
【特許文献１】特開２００８−２０３１９３号公報
【発明の概要】
【発明が解決しようとする課題】
【０００４】
区画部材と板材とを用いてプレートを形成した場合、プレートの面精度が低下するおそれがある。
【課題を解決するための手段】
【０００５】
本発明の一態様は、第一面を有する板材と、隔壁によって複数の区画が形成された区画部材と、を備え、隣り合う前記隔壁の間であって前記第一面側に空隙が形成され、前記隔壁の前記空隙側の端部は前記板材の前記第一面に接合する溶着部を有し、前記溶着部において前記板材と前記区画部材とが溶着されている、ことを特徴とするプレートである。
【０００６】
また、本発明の他の一態様は、上記一態様において、超音波溶着によって前記板材と前記区画部材とが接合されていることを特徴とする。
【０００７】
また、本発明の他の一態様は、上記一態様において、前記溶着部は前記隔壁の全周にわたって前記板材の前記第一面に溶着されていることを特徴とする。
【０００８】
また、本発明の他の一態様は、上記一態様において、前記溶着部は前記隔壁の周上の一部において前記板材の前記第一面に溶着されていることを特徴とする。
【０００９】
また、本発明の他の一態様は、上記一態様において、前記溶着部は突起状であり、前記区画部材と前記板材の間に配置されたシール部材を備えることを特徴とする。
【００１０】
また、本発明の他の一態様は、上記一態様において、前記突起状溶着部は前記シール部材を貫通していることを特徴とする。
【００１１】
また、本発明の他の一態様は、上記一態様において、前記板材と前記区画部材は光学的に透明な同一の樹脂材料で形成されていることを特徴とする。
【００１２】
また、本発明の他の一態様は、上記一態様において、前記区画の開口面を被覆する保護フィルムを備えることを特徴とする。
【００１３】
また、本発明の他の一態様は、上記一態様において、前記第一面のうち前記区画の底面に配置されたバイオチップを備えることを特徴とする。
【００１４】
また、本発明の他の一態様は、板材の第一面に区画部材を接合することによって形成された複数のウェルを有するプレートの製造方法であって、前記ウェルを形成している前記区画部材の隔壁は、隣り合う隔壁との間であって前記板材の第一面側に空隙を有し、前記隔壁の前記空隙側の端部に設けられた溶着部において前記板材の前記第一面と前記区画部材とを溶着する溶着工程を含む、プレートの製造方法である。
【００１５】
また、本発明の他の一態様は、上記一態様において、前記溶着工程において、前記区画部材の前記溶着部と前記板材の前記第一面とを接触させ、融点を超えるまで加熱して圧力を加えることで接合させることを特徴とする。
【００１６】
また、本発明の他の一態様は、上記一態様において、前記溶着工程において、前記区画部材の前記溶着部と前記板材の前記第一面とを超音波溶着することを特徴とする。
【００１７】
また、本発明の他の一態様は、上記一態様において、前記板材の前記第一面上に前記隔壁の前記空隙側の端部の形状に沿った形状のシール部材を備え、前記シール部材と前記区画部材の前記溶着部との位置を合わせる位置合わせ工程を含むことを特徴とする。
【００１８】
また、本発明の他の一態様は、上記一態様において、前記溶着工程において、前記溶着部を前記板材の前記第一面に対して前記隔壁の全周にわたって溶着することを特徴とする。
【００１９】
また、本発明の他の一態様は、上記一態様において、前記溶着工程において、前記溶着部を前記板材の前記第一面に対して前記隔壁の周上の一部において溶着することを特徴とする。
【００２０】
また、本発明の他の一態様は、上記一態様において、前記溶着部を前記シール部材に挿通させて、前記板材の前記第一面と前記区画部材の前記溶着部とを接触させる挿通工程を含むことを特徴とする。
【００２１】
また、本発明の他の一態様は、上記一態様におけるプレートから前記区画部材を取り外す工程と、前記板材の前記第一面に配置された前記バイオチップを観察する観察工程と、を含むことを特徴とするバイオチップの観察方法である。
【００２２】
また、本発明の他の一態様は、バイオチップを有するプレートを用いたスクリーニング方法であって、前記バイオチップ上に固定された生体分子と特異的に反応可能な標的を含む検体を、上記一態様におけるプレートに分注する分注工程と、前記プレートを洗浄する洗浄工程と、前記プレートを乾燥する乾燥工程と、前記標的と前記生体分子との親和性を検出する検出工程と、を含むことを特徴とする、スクリーニング方法である。
【００２３】
また、本発明の他の一態様は、板材と、溶着により前記板材に接合され、バイオチップを支持するための支持領域を規定する規定部材と、を備えることを特徴とするプレートである。
【００２４】
また、本発明の他の一態様は、上記一態様において、前記規定部材は、溶着により前記板材に接合され、第１バイオチップを支持するための第１支持領域を規定する第１規定部材と、前記第１規定部材とは別体で構成された部材であって、溶着により前記板材に接合され、第２バイオチップを支持するための第２支持領域を規定する第２規定部材と、を有することを特徴とするプレートである。
【００２５】
また、本発明の他の一態様は、上記一態様において、前記板材の前記規定部材と接合する面に垂直な方向において、前記第１規定部材の長さと前記第２規定部材の長さが同じであることを特徴とするプレートである。
【００２６】
また、本発明の他の一態様は、上記一態様において、前記規定部材は、前記板材と接合する端部に空隙を有することを特徴とするプレートである。
【００２７】
また、本発明の他の一態様は、上記一態様において、前記規定部材により規定された前記支持領域は、円形の形状を有することを特徴とするプレートである。
【００２８】
また、本発明の他の一態様は、上記一態様において、前記板材は、透光性を有する材料で形成されていることを特徴とするプレートである。
【００２９】
また、本発明の他の一態様は、上記一態様において、前記規定部材は、透光性を有する材料で形成されていることを特徴とするプレートである。
【００３０】
また、本発明の他の一態様は、上記一態様において、前記板材は、前記規定部材と同一の材料で形成されていることを特徴とするプレートである。
【００３１】
また、本発明の他の一態様は、上記一態様において、前記規定部材は、超音波溶着により前記板材に接合されていることを特徴とするプレートである。
【図面の簡単な説明】
【００３２】
【図１】本発明の第１の実施形態に係るプレートの斜視図である。
【図２】本発明の第１の実施形態に係るプレートの下面図である。
【図３】本発明の第１の実施形態に係るプレートの区画部材の下面図である。
【図４】本発明の第１の実施形態に係るプレートの断面図である。
【図５】第１の変形例による区画部材を適用したプレートの断面図である。
【図６】第２の変形例による区画部材を適用したプレートの断面図である。
【図７】第３の変形例による区画部材を適用したプレートの断面図である。
【図８】第４の変形例による区画部材の下面図及び側面図である。
【図９】第４の変形例による区画部材を適用したプレートの断面図である。
【図１０】第４の変形例による区画部材を適用したプレートの製造手順を示すフローチャートである。
【図１１】第５の変形例による区画部材を適用したプレートの上面図及び断面図である。
【図１２】第６の変形例による区画部材を適用したプレートの断面図である。
【図１３】変形例による板材を適用したプレートの側面図である。
【図１４】本発明の第２の実施形態に係るプレートの断面図である。
【図１５】本発明の第２の実施形態に係るプレートの製造手順を示すフローチャートである。
【図１６】本発明の第２の実施形態の変形例によるプレートの断面図である。
【図１７】本発明の第２の実施形態に係るプレートに対してスクリーニング処理を実施するためのスクリーニング装置の概略構成図である。
【図１８】スクリーニング装置によるスクリーニング方法を示すフローチャートである。
【図１９】洗浄・乾燥装置における洗浄・乾燥工程を示すフローチャートである。
【発明を実施するための形態】
【００３３】
以下、図面を参照しながら本発明の実施形態について詳しく説明する。
【００３４】
図１は、本発明の第１の実施形態に係るプレート１００の斜視図である。本実施形態において、説明の便宜のため、プレート１００を構成する板材１３０の第２面１３０ｂに垂直な方向をＺ軸方向とし、プレート１００を構成する板材１３０の長辺に沿った方向をＸ軸方向とし、プレート１００を構成する板材１３０の短辺に沿った方向をＹ軸方向とする。Ｘ軸、Ｙ軸、及びＺ軸は互いに直交し、直交座標系を構成している。
【００３５】
プレート１００は、区画部材１２０と、板材１３０とを備えている。
区画部材１２０は、第１面１２０ａと、第２面１２０ｂとを有している。区画部材１２０の第１面１２０ａは、ＸＹ平面に平行な面である。区画部材１２０の第２面１２０ｂは、ＸＹ平面に平行な面である。区画部材１２０の第１面１２０ａは、区画部材１２０の第２面１２０ｂとはＺ軸方向において異なる位置に形成されている。区画部材１２０の第１面１２０ａは、区画部材１２０の第２面１２０ｂと平行である。区画２０は、第１面１２０ａから第２面１２０ｂまでを貫通する貫通穴である。区画２０は、略四角柱の形状をした空間である。ただし、区画２０の形状は、これに限るものではなく、例えば円柱の形状であってもよい。
【００３６】
区画部材１２０は、隔壁２２と、連結部２４と、補強部２６とを備えている。
【００３７】
隔壁２２は、区画２０を形成する部材である。区画部材１２０は、隔壁２２によって形成された区画２０を有している。
区画部材１２０は、後述するように、第１隔壁２２−１と、第２隔壁２２−２と、第３隔壁２２−３と、第４隔壁２２−４と、第５隔壁２２−５と、第６隔壁２２−６と、第７隔壁２２−７と、第８隔壁２２−８と、第９隔壁２２−９と、第１０隔壁２２−１０と、第１１隔壁２２−１１と、第１２隔壁２２−１２と、第１３隔壁２２−１３と、第１４隔壁２２−１４と、第１５隔壁２２−１５と、第１６隔壁２２−１６と、第１７隔壁２２−１７と、第１８隔壁２２−１８と、第１９隔壁２２−１９と、第２０隔壁２２−２０と、第２１隔壁２２−２１と、第２２隔壁２２−２２と、第２３隔壁２２−２３と、第２４隔壁２２−２４とを隔壁２２として含む。
【００３８】
よって、区画部材１２０は、第１隔壁２２−１によって形成された区画２０−１と、第２隔壁２２−２によって形成された区画２０−２と、第３隔壁２２−３によって形成された区画２０−３と、第４隔壁２２−４によって形成された区画２０−４と、第５隔壁２２−５によって形成された区画２０−５と、第６隔壁２２−６によって形成された区画２０−６と、第７隔壁２２−７によって形成された区画２０−７と、第８隔壁２２−８によって形成された区画２０−８と、第９隔壁２２−９によって形成された区画２０−９と、第１０隔壁２２−１０によって形成された区画２０−１０と、第１１隔壁２２−１１によって形成された区画２０−１１と、第１２隔壁２２−１２によって形成された区画２０−１２と、第１３隔壁２２−１３によって形成された区画２０−１３と、第１４隔壁２２−１４によって形成された区画２０−１４と、第１５隔壁２２−１５によって形成された区画２０−１５と、第１６隔壁２２−１６によって形成された区画２０−１６と、第１７隔壁２２−１７によって形成された区画２０−１７と、第１８隔壁２２−１８によって形成された区画２０−１８と、第１９隔壁２２−１９によって形成された区画２０−１９と、第２０隔壁２２−２０によって形成された区画２０−２０と、第２１隔壁２２−２１によって形成された区画２０−２１と、第２２隔壁２２−２２によって形成された区画２０−２２と、第２３隔壁２２−２３によって形成された区画２０−２３と、第２４隔壁２２−２４によって形成された区画２０−２４との計２４個の区画を区画２０として有している。区画２０は、区画部材１２０において格子状に配列されている。具体的には、区画２０は、区画部材１２０の長辺方向に沿って複数配列され、区画部材１２０の短辺方向に沿って複数配列されている。すなわち、区画２０は、Ｘ軸とＹ軸とに沿って格子状に配列されている。図１は、区画部材１２０の長辺方向において６列、区画部材１２０の短辺方向に沿って４行の計２４個の区画が形成された区画部材１２０を示している。
【００３９】
なお、図１では隔壁を２４個有する区画部材、すなわち区画を２４個有する区画部材を例に挙げて説明したが、区画部材１２０が有する隔壁の個数（区画の個数）は、これに限るものではない。
【００４０】
なお、図１では隔壁が格子状に形成された区画部材１２０を例に挙げて説明したが、区画部材１２０における隔壁の配列（区画の配列）は、これに限るものでない。
【００４１】
隔壁２２は、第１面２２ａと、第２面２２ｂと、第３面２２ｃと、第４面２２ｄとを有している。
【００４２】
隔壁２２の第１面２２ａは、ＸＹ平面に平行な面である。隔壁２２の第１面２２ａは、区画部材１２０の第１面１２０ａに含まれる。すなわち、隔壁２２の第１面２２ａは、区画部材１２０の第１面１２０ａとＺ軸方向において同じ位置に形成されている。隔壁２２の第１面２２ａは、区画部材１２０を板材１３０に接合してプレート１００を形成した場合、板材１３０の第２面１３０ｂと略平行な面である。
【００４３】
隔壁２２の第２面２２ｂは、ＸＹ平面に平行な面である。隔壁２２の第２面２２ｂは、隔壁２２の第１面２２ａとはＺ軸方向において異なる位置に形成されている。隔壁２２の第２面２２ｂは、隔壁２２の第１面２２ａと平行である。隔壁２２の第１面２２ａは、区画部材１２０を板材１３０に接合してプレート１００を形成した場合、隔壁２２の第２面２２ｂよりもＺ軸プラス方向側に位置する。隔壁２２の第２面２２ｂは、溶着により板材１３０と接合するための面である。後述する溶着部２２ｆは、隔壁２２の第２面２２ｂを含む。
【００４４】
隔壁２２の第３面２２ｃは、隔壁２２の第１面２２ａの外縁と隔壁２２の第２面２２ｂの外縁とに沿って形成される面である。隔壁２２の第３面２２ｃは、ＹＺ平面に平行な面と、ＺＸ平面に平行な面とを含む。隔壁２２の第３面２２ｃは、隔壁２２の内壁面である。隔壁２２の第３面２２ｃは、区画２０を規定する面である。
【００４５】
隔壁２２の第４面２２ｄは、隔壁２２の第１面２２ａの外縁と隔壁２２の第２面２２ｂの外縁とに沿って形成される面である。隔壁２２の第４面２２ｄは、ＹＺ平面に平行な面と、ＺＸ平面に平行な面とを含む。隔壁２２の第４面２２ｄは、隔壁２２の第３面２２ｃとは反対側の面である。隔壁２２の第４面２２ｄは、隔壁２２の外壁面である。
連結部２４は、隔壁２２を連結する部材である。具体的には、連結部２４は、第１隔壁２２−１から第２４隔壁２２−２４までの隔壁を連結する部材である。
【００４６】
第１隔壁２２−１から第２４隔壁２２−２４はそれぞれ、他の隔壁と連結部２４により連結されている。
【００４７】
具体的には、第１隔壁２２−１から第２４隔壁２２−２４はそれぞれ、隣の隔壁と連結部２４により連結されている。
【００４８】
一例として、第１隔壁２２−１は、第２隔壁２２−２と連結部２４により連結されている。第１隔壁２２−１は、第５隔壁２２−５と連結部２４により連結されている。よって、第１隔壁２２−１は、第２隔壁２２−２と第５隔壁２２−５との２つの隔壁と連結部２４により連結されている。
【００４９】
他の例として、第２隔壁２２−２は、第１隔壁２２−１と連結部２４により連結されている。第２隔壁２２−２は、第３隔壁２２−３と連結部２４により連結されている。第２隔壁２２−２は、第６隔壁２２−６と連結部２４により連結されている。よって、第２隔壁２２−２は、第１隔壁２２−１と第３隔壁２２−３と第６隔壁２２−６との３つの隔壁と連結部２４により連結されている。
【００５０】
他の例として、第６隔壁２２−６は、第２隔壁２２−２と連結部２４により連結されている。第６隔壁２２−６は、第５隔壁２２−５と連結部２４により連結されている。第６隔壁２２−６は、第７隔壁２２−７と連結部２４により連結されている。第６隔壁２２−６は、第１０隔壁２２−１０と連結部２４により連結されている。よって、第６隔壁２２−６は、第２隔壁２２−２と第５隔壁２２−５と第７隔壁２２−７と第１０隔壁２２−１０との４つの隔壁と連結部２４により連結されている。
【００５１】
より具体的には、第１隔壁２２−１から第２４隔壁２２−２４はそれぞれ、隣の隔壁に加えて、隣の隔壁以外の隔壁と連結部２４により連結されている。
【００５２】
一例として、第１隔壁２２−１は、第２隔壁２２−２から第２４隔壁２２−２４までのいずれの隔壁とも連結部２４により連結されている。このように、区画部材１２０は、複数の隔壁が連結部２４によって連結されることで一体化され、区画２０が形成されている。
【００５３】
連結部２４は、第１面２４ａと、第２面２４ｂとを有している。
【００５４】
連結部２４の第１面２４ａは、ＸＹ平面に平行な面である。連結部２４の第１面２４ａは、区画部材１２０の第１面１２０ａに含まれる。すなわち、連結部２４の第１面２４ａは、区画部材１２０の第１面１２０ａとＺ軸方向において同じ位置に形成されている。連結部２４の第１面２４ａは、区画部材１２０を板材１３０に接合してプレート１００を形成した場合、板材１３０の第２面１３０ｂと略平行な面である。
【００５５】
連結部２４の第２面２４ｂは、ＸＹ平面に平行な面である。連結部２４の第２面２４ｂは、連結部２４の第１面２４ａとはＺ軸方向において異なる位置に形成されている。連結部２４の第２面２４ｂは、連結部２４の第１面２４ａと平行である。連結部２４の第２面２４ｂは、隔壁２２の第２面２２ｂとＺ軸方向において異なる位置に形成されている。具体的には、連結部２４の第２面２４ｂは、Ｚ軸方向において隔壁２２の第１面２２ａと隔壁２２の第２面２２ｂとの間に形成されている。
【００５６】
区画部材１２０において、隔壁は、他の隔壁との間に空隙２８を形成した状態で区画２０を形成している。
【００５７】
第１隔壁２２−１を例に挙げて説明する。
【００５８】
第１隔壁２２−１の第４面２２−１ｄは、第２隔壁２２−２の第４面２２−２ｄと離間している。第１隔壁２２−１の第４面２２−１ｄと第２隔壁２２−２の第４面２２−２ｄとは、連結部２４が介在する分だけ離間している。すなわち、空隙２８は、第１隔壁２２−１の第４面２２−１ｄと第２隔壁２２−２の第４面２２−２ｄと連結部２４の第２面２４ｂとで形成された空間を含む。
【００５９】
第１隔壁２２−１の第４面２２−１ｄは、第５隔壁２２−５の第４面２２−５ｄと離間している。第１隔壁２２−１の第４面２２−１ｄと第５隔壁２２−５の第４面２２−５ｄとは、連結部２４が介在する分だけ離間している。すなわち、空隙２８は、第１隔壁２２−１の第４面２２−１ｄと第５隔壁２２−５の第４面２２−５ｄと連結部２４の第２面２４ｂとで形成された空間を含む。
【００６０】
第１隔壁２２−１の第４面２２−１ｄは、第６隔壁２２−６の第４面２２−６ｄと離間している。第１隔壁２２−１の第４面２２−１ｄと第６隔壁２２−６の第４面２２−６ｄとは、連結部２４が介在する分だけ離間している。すなわち、空隙２８は、第１隔壁２２−１の第４面２２−１ｄと第６隔壁２２−６の第４面２２−６ｄと連結部２４の第２面２４ｂとで形成された空間を含む。
【００６１】
第１隔壁２２−１は、連結部２４により連結されている第２隔壁２２−２と第５隔壁２２−５と第６隔壁２２−６とのいずれの隔壁との間にも空隙２８を形成した状態で、区画２０−１を形成している。
【００６２】
第２隔壁２２−２を例に挙げて説明する。
【００６３】
第２隔壁２２−２の第４面２２−２ｄは、第１隔壁２２−１の第４面２２−１ｄと離間している。第２隔壁２２−２の第４面２２−２ｄと第１隔壁２２−１の第４面２２−１ｄとは、連結部２４が介在する分だけ離間している。すなわち、空隙２８は、第２隔壁２２−２の第４面２２−２ｄと第１隔壁２２−１の第４面２２−１ｄと連結部２４の第２面２４ｂとで形成された空間を含む。
【００６４】
第２隔壁２２−２の第４面２２−２ｄは、第３隔壁２２−３の第４面２２−３ｄと離間している。第２隔壁２２−２の第４面２２−２ｄと第３隔壁２２−３の第４面２２−３ｄとは、連結部２４が介在する分だけ離間している。すなわち、空隙２８は、第２隔壁２２−２の第４面２２−２ｄと第３隔壁２２−３の第４面２２−３ｄと連結部２４の第２面２４ｂとで形成された空間を含む。
【００６５】
第２隔壁２２−２の第４面２２−２ｄは、第５隔壁２２−５の第４面２２−５ｄと離間している。第２隔壁２２−２の第４面２２−２ｄと第５隔壁２２−５の第４面２２−５ｄとは、連結部２４が介在する分だけ離間している。すなわち、空隙２８は、第２隔壁２２−２の第４面２２−２ｄと第５隔壁２２−５の第４面２２−５ｄと連結部２４の第２面２４ｂとで形成された空間を含む。
【００６６】
第２隔壁２２−２の第４面２２−２ｄは、第６隔壁２２−６の第４面２２−６ｄと離間している。第２隔壁２２−２の第４面２２−２ｄと第６隔壁２２−６の第４面２２−６ｄとは、連結部２４が介在する分だけ離間している。すなわち、空隙２８は、第２隔壁２２−２の第４面２２−２ｄと第６隔壁２２−６の第４面２２−６ｄと連結部２４の第２面２４ｂとで形成された空間を含む。
【００６７】
第２隔壁２２−２の第４面２２−２ｄは、第７隔壁２２−７の第４面２２−７ｄと離間している。第２隔壁２２−２の第４面２２−２ｄと第７隔壁２２−７の第４面２２−７ｄとは、連結部２４が介在する分だけ離間している。すなわち、空隙２８は、第２隔壁２２−２の第４面２２−２ｄと第７隔壁２２−７の第４面２２−７ｄと連結部２４の第２面２４ｂとで形成された空間を含む。
【００６８】
第２隔壁２２−２は、連結部２４により連結されている第１隔壁２２−１と第３隔壁２２−３と第５隔壁２２−５と第６隔壁２２−６と第７隔壁２２−７とのいずれの隔壁との間にも空隙２８を形成した状態で、区画２０−２を形成している。
【００６９】
第６隔壁２２−６を例に挙げて説明する。
【００７０】
第６隔壁２２−６の第４面２２−６ｄは、第１隔壁２２−１の第４面２２−１ｄと離間している。第６隔壁２２−６の第４面２２−６ｄと第１隔壁２２−１の第４面２２−１ｄとは、連結部２４が介在する分だけ離間している。すなわち、空隙２８は、第６隔壁２２−６の第４面２２−６ｄと第１隔壁２２−１の第４面２２−１ｄと連結部２４の第２面２４ｂとで形成された空間を含む。
【００７１】
第６隔壁２２−６の第４面２２−６ｄは、第２隔壁２２−２の第４面２２−２ｄと離間している。第６隔壁２２−６の第４面２２−６ｄと第２隔壁２２−２の第４面２２−２ｄとは、連結部２４が介在する分だけ離間している。すなわち、空隙２８は、第６隔壁２２−６の第４面２２−６ｄと第２隔壁２２−２の第４面２２−２ｄと連結部２４の第２面２４ｂとで形成された空間を含む。
【００７２】
第６隔壁２２−６の第４面２２−６ｄは、第３隔壁２２−３の第４面２２−３ｄと離間している。第６隔壁２２−６の第４面２２−６ｄと第３隔壁２２−３の第４面２２−３ｄとは、連結部２４が介在する分だけ離間している。すなわち、空隙２８は、第６隔壁２２−６の第４面２２−６ｄと第３隔壁２２−３の第４面２２−３ｄと連結部２４の第２面２４ｂとで形成された空間を含む。
【００７３】
第６隔壁２２−６の第４面２２−６ｄは、第５隔壁２２−５の第４面２２−５ｄと離間している。第６隔壁２２−６の第４面２２−６ｄと第５隔壁２２−５の第４面２２−５ｄとは、連結部２４が介在する分だけ離間している。すなわち、空隙２８は、第６隔壁２２−６の第４面２２−６ｄと第５隔壁２２−５の第４面２２−５ｄと連結部２４の第２面２４ｂとで形成された空間を含む。
【００７４】
第６隔壁２２−６の第４面２２−６ｄは、第７隔壁２２−７の第４面２２−７ｄと離間している。第６隔壁２２−６の第４面２２−６ｄと第７隔壁２２−７の第４面２２−７ｄとは、連結部２４が介在する分だけ離間している。すなわち、空隙２８は、第６隔壁２２−６の第４面２２−６ｄと第７隔壁２２−７の第４面２２−７ｄと連結部２４の第２面２４ｂとで形成された空間を含む。
【００７５】
第６隔壁２２−６の第４面２２−６ｄは、第９隔壁２２−９の第４面２２−９ｄと離間している。第６隔壁２２−６の第４面２２−６ｄと第９隔壁２２−９の第４面２２−９ｄとは、連結部２４が介在する分だけ離間している。すなわち、空隙２８は、第６隔壁２２−６の第４面２２−６ｄと第９隔壁２２−９の第４面２２−９ｄと連結部２４の第２面２４ｂとで形成された空間を含む。
【００７６】
第６隔壁２２−６の第４面２２−６ｄは、第１０隔壁２２−１０の第４面２２−１０ｄと離間している。第６隔壁２２−６の第４面２２−６ｄと第１０隔壁２２−１０の第４面２２−１０ｄとは、連結部２４が介在する分だけ離間している。すなわち、空隙２８は、第６隔壁２２−６の第４面２２−６ｄと第１０隔壁２２−１０の第４面２２−１０ｄと連結部２４の第２面２４ｂとで形成された空間を含む。
【００７７】
第６隔壁２２−６の第４面２２−６ｄは、第１１隔壁２２−１１の第４面２２−１１ｄと離間している。第６隔壁２２−６の第４面２２−６ｄと第１１隔壁２２−１１の第４面２２−１１ｄとは、連結部２４が介在する分だけ離間している。すなわち、空隙２８は、第６隔壁２２−６の第４面２２−６ｄと第１１隔壁２２−１１の第４面２２−１１ｄと連結部２４の第２面２４ｂとで形成された空間を含む。
【００７８】
第６隔壁２２−６は、連結部２４により連結されている第１隔壁２２−１と第２隔壁２２−２と第３隔壁２２−３と第５隔壁２２−５と第７隔壁２２−７と第９隔壁２２−９と第１０隔壁２２−１０と第１１隔壁２２−１１とのいずれの隔壁との間にも空隙２８を形成した状態で、区画２０−６を形成している。
【００７９】
このように、空隙２８は、一の隔壁と他の隔壁との間に形成された空間である。空隙２８は、隔壁２２と連結部２４とによって囲まれた空間である。
【００８０】
補強部２６は、区画部材１２０の機械的な強度を補う部材である。補強部２６は、区画部材１２０の外縁をなす部材である。補強部２６は、区画部材１２０を構成している隔壁２２のうち最外周に位置する隔壁と接続されている。補強部２６は、最外周の隔壁にわたって延設されている。具体的には、補強部２６は、区画部材１２０の全周にわたって延設されている。図１において、補強部２６は、第１隔壁２２−１と第２隔壁２２−２と第３隔壁２２−３と第４隔壁２２−４と第５隔壁２２−５と第８隔壁２２−８と第９隔壁２２−９と第１２隔壁２２−１２と第１３隔壁２２−３と第１６隔壁２２−１６と第１７隔壁２２−１７と第２０隔壁２２−２０と第２１隔壁２２−２１と第２２隔壁２２−２２と第２３隔壁２２−２３と第２４隔壁２２−２４とに接続されている。なお、補強部２６は、区画部材１２０の全周ではなく、例えば、矩形形状である区画部材１２０の１つの長辺又は短辺に沿って設けることもできる。このように、区画部材１２０の外縁部分は、補強部２６により機械的強度が補強されている。
【００８１】
補強部２６は、第１隔壁２２−１と第２隔壁２２−２と第３隔壁２２−３と第４隔壁２２−４と第５隔壁２２−５と第８隔壁２２−８と第９隔壁２２−９と第１２隔壁２２−１２と第１３隔壁２２−３と第１６隔壁２２−１６と第１７隔壁２２−１７と第２０隔壁２２−２０と第２１隔壁２２−２１と第２２隔壁２２−２２と第２３隔壁２２−２３と第２４隔壁２２−２４とを連結する連結部材でもある。補強部２６は、隔壁２２を連結する連結部として機能する。
【００８２】
補強部２６は、区画部材１２０における把持部材でもある。補強部２６は、区画部材１２０を把持する際の把持部として機能する。
【００８３】
なお、区画部材１２０は、補強部２６を有しない構成としてもよい。
【００８４】
区画部材１２０は、例えば樹脂で構成されている。具体的には、区画部材１２０は、熱可塑性の樹脂で構成されている。区画部材１２０は、例えば透光性を有する部材である。具体的には、区画部材１２０は、透明な部材である。区画部材１２０に用いる樹脂として、ポリメタクリル酸メチル樹脂（ｐｏｌｙ  ｍｅｔｈｙｌ  ｍｅｔｈａｃｒｙｌａｔｅ）等のアクリル樹脂（ａｃｒｙｌｉｃ  ｒｅｓｉｎ）、ポリカーボネート（ｐｏｌｙｃａｒｂｏｎａｔｅ（ＰＣ））、環状オレフィンコポリマー（ｃｙｃｌｏｏｌｅｆｉｎ  ｃｏｐｏｌｙｍｅｒ（ＣＯＣ））、ポリスチレン（ｐｏｌｙｓｔｙｒｅｎｅ（ＰＳ））等を例示することができる。
【００８５】
板材１３０は、板状の部材である。板材１３０は、第１面１３０ａと第２面１３０ｂとを有している。板材１３０の第１面１３０ａは、ＸＹ平面に平行な面である。板材１３０の第１面１３０ａは、所望の平坦性を確保するために、例えば数ミクロンの面精度で研磨されている。
【００８６】
板材１３０の第２面１３０ｂは、ＸＹ平面に平行な面である。板材１３０の第２面１３０ｂは、板材１３０の第１面１３０ａとはＺ軸方向において異なる位置に形成されている。板材１３０の第２面１３０ｂは、板材１３０の第１面１３０ａと平行である。板材１３０の第１面１３０ａは、板材１３０を区画部材１２０に接合した場合、板材１３０の第２面１３０ｂよりもＺプラス方向側に位置する。板材１３０の第２面１３０ｂは、所望の平坦性を確保するために、例えば数ミクロンの面精度で研磨されている。板材１３０の第２面１３０ｂは、区画部材１２０を板材１３０に接合してプレート１００を形成した場合、区画部材１２０の第１面１２０ａと略平行な面である。
【００８７】
板材１３０は、例えば樹脂で構成されている。具体的には、板材１３０は、熱可塑性の樹脂で構成されている。板材１３０は、例えば透光性を有する部材である。具体的には、板材１３０は、透明な部材である。板材１３０に用いる樹脂として、ポリメタクリル酸メチル樹脂（ｐｏｌｙ  ｍｅｔｈｙｌ  ｍｅｔｈａｃｒｙｌａｔｅ）等のアクリル樹脂（ａｃｒｙｌｉｃ  ｒｅｓｉｎ）、ポリカーボネート（ｐｏｌｙｃａｒｂｏｎａｔｅ（ＰＣ））、環状オレフィンコポリマー（ｃｙｃｌｏｏｌｅｆｉｎ  ｃｏｐｏｌｙｍｅｒ（ＣＯＣ））、ポリスチレン（ｐｏｌｙｓｔｙｒｅｎｅ（ＰＳ））を例示することができる。
【００８８】
板材１３０は、区画部材１２０と接合されている。具体的には、板材１３０の第１面１３０ａは、区画部材１２０の第２面１２０ｂと接合されている。より具体的には、板材１３０の第１面１３０ａは、区画部材１２０の第２面１２０ｂ全体を覆うようにして、区画部材１２０の第２面１２０ｂと接合されている。区画部材１２０に構成されている区画２０は、板材１３０の第１面１３０ａによって区画部材１２０の第２面１２０ｂ側から塞がれた状態で、区画部材１２０の第２面１２０ｂと板材１３０の第１面１３０ａとが接合される。
【００８９】
区画部材１２０と板材１３０の接合方法として、溶着接合を例示することができる。この場合、区画部材１２０と板材１３０は、熱可塑性樹脂で構成される。区画部材１２０と板材１３０は、区画部材１２０の接合箇所と板材１３０の接合箇所とに融点まで加熱し圧力を加えることによって、相互に接合される。区画部材１２０と板材１３０を溶着により接合する場合は、区画部材１２０と板材１３０を接着剤を用いて接合する場合と比較して、望ましくない化学成分の溶出を抑制することができる。区画部材１２０と板材１３０を溶着により接合する場合は、区画部材１２０と板材１３０を接着剤で接合する場合と比較して、接合の安定度を高めることができる。区画部材１２０は、区画部材１２０の第２面１２０ｂ全体で板材１３０と溶着されている。すなわち、区画部材１２０の第２面１２０ｂは、ウェル１１０を構成している隔壁２２の第２面２２ｂ全面にわたって、板材１３０の第１面１３０ａに溶着されている。隔壁２２の第２面２２ｂ全面で溶着したことにより、プレート１００には、ウェル１１０に収容された液状試料がウェル１１０から漏れ出さないようにする封止構造が形成されている。
【００９０】
区画部材１２０と板材１３０の溶着接合には、例えば超音波溶着を適用することができる。なお、区画部材１２０と板材１３０の溶着接合には、レーザ溶着や振動溶着等を適用してもよい。
【００９１】
区画部材１２０と板材１３０を溶着により接合する場合、区画部材１２０に用いる材料の融点は、板材１３０に用いる材料の融点と同じであることが望ましい。そのため、区画部材１２０に用いる材料は、板材１３０に用いる材料と同じであることが望ましい。
【００９２】
一例として、区画部材１２０の材料と板材１３０の材料とにはいずれも、ポリメタクリル酸メチル樹脂（ｐｏｌｙ  ｍｅｔｈｙｌ  ｍｅｔｈａｃｒｙｌａｔｅ）を用いることが挙げられる。
【００９３】
他の例として、区画部材１２０の材料と板材１３０の材料とにはいずれも、ポリカーボネート（ｐｏｌｙｃａｒｂｏｎａｔｅ（ＰＣ））を用いることが挙げられる。
【００９４】
他の例として、区画部材１２０の材料と板材１３０の材料とにはいずれも、環状オレフィンコポリマー（ｃｙｃｌｏｏｌｅｆｉｎ  ｃｏｐｏｌｙｍｅｒ（ＣＯＣ））を用いることが挙げられる。
【００９５】
他の例として、区画部材１２０の材料と板材１３０の材料とにはいずれも、ポリスチレン（ｐｏｌｙｓｔｙｒｅｎｅ（ＰＳ））を用いることが挙げられる。
【００９６】
区画部材１２０と板材１３０を溶着により接合する場合、区画部材１２０に用いる材料の融点は、板材１３０に用いる材料の融点に近いことが望ましい。
【００９７】
一例として、区画部材１２０の材料としてポリメタクリル酸メチル樹脂（ｐｏｌｙ  ｍｅｔｈｙｌ  ｍｅｔｈａｃｒｙｌａｔｅ）を用い、板材１３０の材料としてポリカーボネート（ｐｏｌｙｃａｒｂｏｎａｔｅ（ＰＣ））を用いることが挙げられる。
【００９８】
他の例として、区画部材１２０の材料としてポリカーボネート（ｐｏｌｙｃａｒｂｏｎａｔｅ（ＰＣ））を用い、板材１３０の材料としてポリメタクリル酸メチル樹脂（ｐｏｌｙ  ｍｅｔｈｙｌ  ｍｅｔｈａｃｒｙｌａｔｅ）を用いることが挙げられる。
【００９９】
プレート１００は、区画部材１２０の隔壁２２と板材１３０の第１面１３０ａとにより形成されたウェル１１０を有している。板材１３０の第１面１３０ａは、ウェル１１０の底面を構成している。ウェル１１０は、例えば液状の試料等を収容可能である。
【０１００】
プレート１００は、第１ウェル１１０−１と、第２ウェル１１０−２と、第３ウェル１１０−３と、第４ウェル１１０−４と、第５ウェル１１０−５と、第６ウェル１１０−６と、第７ウェル１１０−７と、第８ウェル１１０−８と、第９ウェル１１０−９と、第１０ウェル１１０−１０と、第１１ウェル１１０−１１と、第１２ウェル１１０−１２と、第１３ウェル１１０−１３と、第１４ウェル１１０−１４と、第１５ウェル１１０−１５と、第１６ウェル１１０−１６と、第１７ウェル１１０−１７と、第１８ウェル１１０−１８と、第１９ウェル１１０−１９と、第２０ウェル１１０−２０と、第２１ウェル１１０−２１と、第２２ウェル１１０−２２と、第２３ウェル１１０−２３と、第２４ウェル１１０−２４とをウェル１１０として含む。
【０１０１】
第１ウェル１１０−１は、第１隔壁２２−１と板材１３０により形成されている。具体的には、第１ウェル１１０−１は、第１隔壁２２−１の第３面２２−１ｃと板材１３０の第１面１３０ａとにより形成されている。
【０１０２】
第２ウェル１１０−２は、第２隔壁２２−２と板材１３０により形成されている。具体的には、第２ウェル１１０−２は、第２隔壁２２−２の第３面２２−２ｃと板材１３０の第１面１３０ａとにより形成されている。
【０１０３】
第３ウェル１１０−３は、第３隔壁２２−３と板材１３０により形成されている。具体的には、第ウェル１１０−３は、第３隔壁２２−３の第３面２２−３ｃと板材１３０の第１面１３０ａとにより形成されている。
【０１０４】
第４ウェル１１０−４は、第４隔壁２２−４と板材１３０により形成されている。具体的には、第４ウェル１１０−４は、第４隔壁２２−４の第３面２２−４ｃと板材１３０の第１面１３０ａとにより形成されている。
【０１０５】
第５ウェル１１０−５は、第５隔壁２２−５と板材１３０により形成されている。具体的には、第５ウェル１１０−５は、第５隔壁２２−５の第３面２２−５ｃと板材１３０の第１面１３０ａとにより形成されている。
【０１０６】
第６ウェル１１０−６は、第６隔壁２２−６と板材１３０により形成されている。具体的には、第６ウェル１１０−６は、第６隔壁２２−６の第３面２２−６ｃと板材１３０の第１面１３０ａとにより形成されている。
【０１０７】
第７ウェル１１０−７は、第７隔壁２２−７と板材１３０により形成されている。具体的には、第７ウェル１１０−７は、第７隔壁２２−７の第３面２２−７ｃと板材１３０の第１面１３０ａとにより形成されている。
【０１０８】
第８ウェル１１０−８は、第８隔壁２２−８と板材１３０により形成されている。具体的には、第８ウェル１１０−８は、第８隔壁２２−８の第３面２２−８ｃと板材１３０の第１面１３０ａとにより形成されている。
【０１０９】
第９ウェル１１０−９は、第９隔壁２２−９と板材１３０により形成されている。具体的には、第９ウェル１１０−９は、第９隔壁２２−９の第３面２２−９ｃと板材１３０の第１面１３０ａとにより形成されている。
【０１１０】
第１０ウェル１１０−１０は、第１０隔壁２２−１０と板材１３０により形成されている。具体的には、第１０ウェル１１０−１０は、第１０隔壁２２−１０の第３面２２−１０ｃと板材１３０の第１面１３０ａとにより形成されている。
【０１１１】
第１１ウェル１１０−１１は、第１１隔壁２２−１１と板材１３０により形成されている。具体的には、第１１ウェル１１０−１１は、第１１隔壁２２−１１の第３面２２−１１ｃと板材１３０の第１面１３０ａとにより形成されている。
【０１１２】
第１２ウェル１１０−１２は、第１２隔壁２２−１２と板材１３０により形成されている。具体的には、第１２ウェル１１０−１２は、第１２隔壁２２−１２の第３面２２−１２ｃと板材１３０の第１面１３０ａとにより形成されている。
【０１１３】
第１３ウェル１１０−１３は、第１３隔壁２２−１３と板材１３０により形成されている。具体的には、第１３ウェル１１０−１３は、第１３隔壁２２−１３の第３面２２−１３ｃと板材１３０の第１面１３０ａとにより形成されている。
【０１１４】
第１４ウェル１１０−１４は、第１４隔壁２２−１４と板材１３０により形成されている。具体的には、第１４ウェル１１０−１４は、第１４隔壁２２−１４の第３面２２−１４ｃと板材１３０の第１面１３０ａとにより形成されている。
【０１１５】
第１５ウェル１１０−１５は、第１５隔壁２２−１５と板材１３０により形成されている。具体的には、第１５ウェル１１０−１５は、第１５隔壁２２−１５の第３面２２−１５ｃと板材１３０の第１面１３０ａとにより形成されている。
【０１１６】
第１６ウェル１１０−１６は、第１６隔壁２２−１６と板材１３０により形成されている。具体的には、第１６ウェル１１０−１６は、第１６隔壁２２−１６の第３面２２−１６ｃと板材１３０の第１面１３０ａとにより形成されている。
【０１１７】
第１７ウェル１１０−１７は、第１７隔壁２２−１７と板材１３０により形成されている。具体的には、第１７ウェル１１０−１７は、第１７隔壁２２−１７の第３面２２−１７ｃと板材１３０の第１面１３０ａとにより形成されている。
【０１１８】
第１８ウェル１１０−１８は、第１８隔壁２２−１８と板材１３０により形成されている。具体的には、第１８ウェル１１０−１８は、第１８隔壁２２−１８の第３面２２−１８ｃと板材１３０の第１面１３０ａとにより形成されている。
【０１１９】
第１９ウェル１１０−１９は、第１９隔壁２２−１９と板材１３０により形成されている。具体的には、第１９ウェル１１０−１９は、第１９隔壁２２−１９の第３面２２−１９ｃと板材１３０の第１面１３０ａとにより形成されている。
【０１２０】
第２０ウェル１１０−２０は、第２０隔壁２２−２０と板材１３０により形成されている。具体的には、第２０ウェル１１０−２０は、第２０隔壁２２−２０の第３面２２−２０ｃと板材１３０の第１面１３０ａとにより形成されている。
【０１２１】
第２１ウェル１１０−２１は、第２１隔壁２２−２１と板材１３０により形成されている。具体的には、第２１ウェル１１０−２１は、第２１隔壁２２−２１の第３面２２−２１ｃと板材１３０の第１面１３０ａとにより形成されている。
【０１２２】
第２２ウェル１１０−２２は、第２２隔壁２２−２２と板材１３０により形成されている。具体的には、第２２ウェル１１０−２２は、第２２隔壁２２−２２の第３面２２−２２ｃと板材１３０の第１面１３０ａとにより形成されている。
【０１２３】
第２３ウェル１１０−２３は、第２３隔壁２２−２３と板材１３０により形成されている。具体的には、第２３ウェル１１０−２３は、第２３隔壁２２−２３の第３面２２−２３ｃと板材１３０の第１面１３０ａとにより形成されている。
【０１２４】
第２４ウェル１１０−２４は、第２４隔壁２２−２４と板材１３０により形成されている。具体的には、第２４ウェル１１０−２４は、第２４隔壁２２−２４の第３面２２−２４ｃと板材１３０の第１面１３０ａとにより形成されている。
【０１２５】
図２は、プレート１００の下面図である。板材１３０が透光性を有する部材で構成した場合、区画部材１２０と板材１３０を溶着したことによって生じた溶着部３５が、板材１３０の第２面１３０ｂ（プレート１００の下面）側から観察できる。溶着部３５は、区画部材１２０と板材１３０とが溶着接合されている接合部分に生じる。具体的には、区画部材１２０と板材１３０は隔壁２２の第２面２２ｂ全面にわたって溶着されているので、溶着部３５は、隔壁２２の第２面２２ｂの形状と略同じ形状で現れる。すなわち、隔壁２２の第２面２２ｂと同じ形状、個数、配置の溶着部３５が板材１３０の第２面１３０ｂ（プレート１００の下面）側から確認することができる。溶着部３５の形状は、溶着部２２ｆの形状に応じた形状で現れる。なお、溶着部３５は、溶着層と呼ぶことがある。
【０１２６】
図３は、区画部材１２０の下面図である。区画部材１２０は、隔壁２２を有している。隔壁２２は、その内側に貫通穴である区画を形成している。隔壁２２は、Ｘ軸及びＹ軸に沿って格子状に配列されている。図３には、区画部材１２０の長辺方向において６列、区画部材１２０の短辺方向に沿って４行の配置で、第１隔壁２２−１と、第２隔壁２２−２と、第３隔壁２２−３と、第４隔壁２２−４と、第５隔壁２２−５と、第６隔壁２２−６と、第７隔壁２２−７と、第８隔壁２２−８と、第９隔壁２２−９と、第１０隔壁２２−１０と、第１１隔壁２２−１１と、第１２隔壁２２−１２と、第１３隔壁２２−１３と、第１４隔壁２２−１４と、第１５隔壁２２−１５と、第１６隔壁２２−１６と、第１７隔壁２２−１７と、第１８隔壁２２−１８と、第１９隔壁２２−１９と、第２０隔壁２２−２０と、第２１隔壁２２−２１と、第２２隔壁２２−２２と、第２３隔壁２２−２３と、第２４隔壁２２−２４とが示されている。第１隔壁２２−１から第２２−２４までの隔壁はそれぞれ、連結部２４によって他の隔壁と連結されている。すなわち、図３において、第１隔壁２２−１から第２４隔壁２２−２４までは、連結部２４によって一体に結合されている。区画部材１２０の外縁部分は、補強部２６によって補強されている。
【０１２７】
区画部材１２０は、区画部材１２０を板材１３０に溶着するための溶着部２２ｆを有している。溶着部２２ｆは、隔壁２２の端部に設けられている。溶着部２２ｆは、隔壁２２の第２面２２ｂを含む、隔壁２２の第２面２２ｂ側の先端部分である。溶着部２２ｆは、隔壁２２の下端側すなわちＺマイナス方向側の先端部分である。溶着部２２ｂは、この先端部分の全周に沿って延在している。例えば、図３において、第１隔壁２２−１から第２４隔壁２２−２４までの隔壁はそれぞれ略正方形の形状であり、溶着部２２ｆは、正方形の外周全周に沿って延在している。区画部材１２０は、隔壁２２の第２面２２ｂ側先端部分の全周にわたって、板材１３０の第１面１３０ａと溶着される。なお、溶着部２２ｆは、溶着層と呼ぶことがある。
【０１２８】
図４は、プレート１００の断面図である。図４は、図１の切断線Ａ−Ａに沿ってプレート１００を切断した断面を示す。プレート１００は、区画部材１２０の隔壁２２と板材１３０とによって形成されたウェル１１０を有している。図４には、区画部材１２０の第１隔壁２２−１と板材１３０の第１面１３０ａとによって形成された第１ウェル１１０−１、区画部材１２０の第２隔壁２２−２と板材１３０の第１面１３０ａとによって形成された第２ウェル１１０−２、区画部材１２０の第３隔壁２２−３と板材１３０の第１面１３０ａとによって形成された第３ウェル１１０−３、及び区画部材１２０の第４隔壁２２−４と板材１３０の第１面１３０ａとによって形成された第４ウェル１１０−４の４つのウェルが示されている。隔壁２２は、連結部２４で連結されている。図４では、連結部２４は、第１隔壁２２−１と第２隔壁２２−２の間、第２隔壁２２−２と第３隔壁２２−３の間、及び第３隔壁２２−３と第４隔壁２２−４の間に設けられている。具体的には、隔壁２２は、隔壁２２のＺプラス方向側の上端部２２ｅにおいて、すなわち区画部材１２０の第１面１２０ａ側において、連結部２４により連結されている。隔壁２２は、連結部２４よりも下方側（Ｚマイナス方向側）において離隔している。区画部材１２０は、連結部２４よりも下方側（Ｚマイナス方向側）に空隙２８を有している。区画部材１２０において、空隙２８は、隔壁２２と連結部２４とによって囲まれた空間である。プレート１００において、空隙２８は、隔壁２２と連結部２４と板材１３０とによって囲まれた空間である。
【０１２９】
空隙２８が存在する場合における区画部材１２０の第２面１２０ｂ側でのウェル１１０の相対位置の自由度は、空隙２８が存在しない場合と比べて、高くなっている。すなわち、図４に示されるように、区画部材１２０は、隣り合う隔壁（例えば第１隔壁２２−１と第２隔壁２２−２）の間に設けられた連結部２４を支点として、隣り合う２つのウェル（例えば第１ウェル１１０−１と第２ウェル１１０−２）が互いに離れる又は近付くように矢印Ａの方向へ変位する自由度を持っている。
【０１３０】
空隙２８が形成されている区画部材１２０の剛性は、空隙２８が形成されていない場合と比較して、低くなっている。そのため、区画部材１２０と板材１３０を接合する際に区画部材１２０を板材１３０に対して押圧しても、区画部材１２０自体が変形することにより、区画部材１２０からの押圧力が板材１３０に伝わりにくい。その結果、板材１３０に変形（例えば撓みや歪み）が生じることを抑制することができる。したがって、区画部材１２０と板材１３０を接合した後でも板材１３０を変形のない状態に保つことができる。これにより、プレート１００では、ウェル１１０内の試料に対して良好な精度で光学測定を実施することが可能となる。
【０１３１】
区画部材１２０の剛性は、例えば、空隙２８の深さ（Ｚ方向における距離）や幅（Ｙ方向における距離）に応じて変化する。例えば、空隙２８が深いほど連結部２４は薄く形成されることになるので、区画部材１２０の剛性は低くなる。空隙２８の幅が広いほど隔壁２２の離隔が大きくなるので、区画部材１２０の剛性は低くなる。
【０１３２】
このように、隔壁と他の隔壁との間に空隙を形成した状態で区画を形成した区画部材を用いてプレートを構成したので、プレートの面精度が低下することを抑制できる。
【０１３３】
プレート上の試料に対して光学測定を行う場合、良好な精度で光学測定を行うことができる。
【０１３４】
次に、図５から図１２を参照して、区画部材１２０の変形例を説明する。
【０１３５】
図５は、区画部材１２０の第１の変形例である区画部材２２０を適用したプレート２００の断面図である。なお、第１の変形例の区画部材２２０を適用したプレート２００が備える構成要素のうち、図１から図４に関連して説明した区画部材１２０を適用したプレート１００が備える構成要素と同一の機能及び構成を有する構成要素には、同一の符号が付されている。第１の変形例の区画部材２２０を適用したプレート２００の説明において、図１から図４に関連して説明した区画部材１２０が有する構成要素と同一の符号が付された構成要素については、冗長な記載を避けるため説明を省略する場合がある。
【０１３６】
プレート２００は、区画部材２２０と、板材１３０とを備えている。
【０１３７】
区画部材２２０は、隔壁２２と、連結部３４と、補強部２６とを備えている。区画部材２２０は、第１面２２０ａと、第２面２２０ｂとを有している。区画部材２２０の第１面２２０ａは、ＸＹ平面に平行な面である。区画部材２２０の第２面２２０ｂは、ＸＹ平面に平行な面である。区画部材２２０の第１面２２０ａは、区画部材２２０の第２面２２０ｂとはＺ軸方向において異なる位置に形成されている。区画部材２２０の第１面２２０ａは、区画部材２２０の第２面２２０ｂと平行である。
【０１３８】
連結部３４は、隔壁２２を連結する部材である。連結部３４は、第１面３４ａと、第２面３４ｂとを有している。
【０１３９】
連結部３４の第１面３４ａは、ＸＹ平面に平行な面である。連結部３４の第１面３４ａは、区画部材２２０の第１面２２０ａとＺ軸方向において異なる位置に形成されている。具体的には、連結部３４の第１面３４ａは、区画部材２２０の第１面２２０ａよりもＺ軸マイナス方向側に位置している。
【０１４０】
連結部３４の第２面３４ｂは、ＸＹ平面に平行な面である。連結部３４の第２面３４ｂは、連結部３４の第１面３４ａとはＺ軸方向において異なる位置に形成されている。連結部３４の第２面３４ｂは、連結部３４の第１面３４ａと平行である。連結部３４の第２面３４ｂは、隔壁２２の第２面２２ｂとＺ軸方向において異なる位置に形成されている。具体的には、連結部３４の第２面３４ｂは、Ｚ軸方向において連結部３４の第１面３４ａと隔壁２２の第２面２２ｂとの間に位置している。
区画部材２２０は、隔壁２２と連結部３４の第１面３４ａとで形成された空隙３８を有するとともに、隔壁２２と連結部３４の第２面３４ｂとで形成された空隙３９を有している。区画部材２２０は、空隙３９を形成したことにより、剛性を抑制することが可能である。
【０１４１】
図６は、区画部材１２０の第２の変形例である区画部材３２０を適用したプレート３００の断面図である。なお、第２の変形例の区画部材３２０を適用したプレート３００が備える構成要素のうち、図１から図４に関連して説明した区画部材１２０を適用したプレート１００が備える構成要素と同一の機能及び構成を有する構成要素には、同一の符号が付されている。第２の変形例の区画部材３２０を適用したプレート３００の説明において、図１から図４に関連して説明した区画部材１２０が有する構成要素と同一の符号が付された構成要素については、冗長な記載を避けるため説明を省略する場合がある。
【０１４２】
プレート３００は、区画部材３２０と、板材１３０とを備えている。
【０１４３】
区画部材３２０は、隔壁３２と、連結部２４と、補強部２６とを備えている。区画部材３２０は、第１面３２０ａと、第２面３２０ｂとを有している。区画部材３２０の第１面３２０ａは、ＸＹ平面に平行な面である。区画部材３２０の第２面３２０ｂは、ＸＹ平面に平行な面である。区画部材３２０の第１面３２０ａは、区画部材３２０の第２面３２０ｂとはＺ軸方向において異なる位置に形成されている。区画部材３２０の第１面３２０ａは、区画部材３２０の第２面３２０ｂと平行である。
【０１４４】
隔壁３２は、区画３０を形成する部材である。区画部材３２０は、隔壁３２によって形成された区画３０を有している。
【０１４５】
隔壁３２は、第１面３２ａと、第２面３２ｂと、第３面３２ｃと、第４面３２ｄとを有している。
【０１４６】
隔壁３２の第１面３２ａは、ＸＹ平面に平行な面である。隔壁３２の第１面３２ａは、区画部材３２０の第１面３２０ａに含まれる。すなわち、隔壁３２の第１面３２ａは、区画部材３２０の第１面３２０ａとＺ軸方向において同じ位置に形成されている。隔壁３２の第１面３２ａは、区画部材３２０を板材１３０に接合してプレート３００を形成した場合、板材１３０の第２面１３０ｂと略平行な面である。
【０１４７】
隔壁３２の第２面３２ｂは、ＸＹ平面に平行な面である。隔壁３２の第２面３２ｂは、隔壁３２の第１面３２ａとはＺ軸方向において異なる位置に形成されている。隔壁３２の第２面３２ｂは、隔壁３２の第１面３２ａと平行である。隔壁３２の第１面３２ａは、区画部材３２０を板材１３０に接合してプレート３００を形成した場合、隔壁３２の第２面３２ｂよりもＺ軸プラス方向側に位置する。隔壁３２の第２面３２ｂは、溶着により板材１３０と接合するための面である。
【０１４８】
隔壁３２の第３面３２ｃは、隔壁３２の第１面３２ａの外縁と隔壁３２の第２面３２ｂの外縁とに沿って形成される面である。隔壁３２の第３面３２ｃは、隔壁３２の内壁面である。隔壁３２の第３面３２ｃは、区画３０を規定する面である。
【０１４９】
隔壁３２の第４面３２ｄは、隔壁３２の第１面３２ａの外縁と隔壁３２の第２面３２ｂの外縁とに沿って形成される面である。隔壁３２の第４面３２ｄは、ＹＺ平面に平行な面と、ＺＸ平面に平行な面とを含む。隔壁３２の第４面３２ｄは、隔壁３２の第３面３２ｃとは反対側の面である。隔壁３２の第４面３２ｄは、隔壁３２の外壁面である。
【０１５０】
隔壁３２の第３面３２ｃは、隔壁３２の第１面３２ａから隔壁３２の第２面３２ｂへ向かうにつれて、隔壁３２の第４面３２ｄとの距離が長くなる。隔壁３２の第３面３２ｃは、隔壁３２の第４面３２ｄに対して傾斜している。隔壁３２の第３面３２ｃは、ＹＺ平面及びＺＸ平面いずれの平面とも平行ではない。隔壁３２の第３面３２ｃと隔壁３２の第４面３２ｄとで形成される隔壁の厚みは、隔壁３２の第１面３２ａから隔壁３２の第２面３２ｂへ向かうにつれて厚くなる。
【０１５１】
区画３０の内径は、区画部材３２０の第１面３２０ａから区画部材３２０の第２面３２０ｂへ向かうにつれて短くなる。
【０１５２】
プレート３００は、区画部材３２０の隔壁３２と板材１３０の第１面１３０ａとにより形成されたウェル３１０を有している。ウェル３１０の内径は、ウェルの底面３１０ａへ向かうにつれて短くなる。
【０１５３】
このようなウェル３１０の形状によれば、ウェル３１０内に分注する検体の量を減らすことが可能である。
【０１５４】
なお、隔壁３２の第３面３２ｃは、平面状の斜面に代えて、曲面状の斜面としてもよい。
【０１５５】
図７は、区画部材１２０の第３の変形例である区画部材４２０を適用したプレート４００の断面図である。なお、第３の変形例の区画部材４２０を適用したプレート４００が備える構成要素のうち、図１から図４に関連して説明した区画部材１２０を適用したプレート１００が備える構成要素と同一の機能及び構成を有する構成要素には、同一の符号が付されている。第３の変形例の区画部材４２０を適用したプレート４００の説明において、図１から図４に関連して説明した区画部材１２０が有する構成要素と同一の符号が付された構成要素については、冗長な記載を避けるため説明を省略する場合がある。
【０１５６】
プレート４００は、区画部材４２０と、板材１３０とを備えている。
【０１５７】
区画部材４２０は、隔壁４２と、連結部４４と、補強部２６とを備えている。区画部材４２０は、第１面４２０ａと、第２面４２０ｂとを有している。区画部材４２０の第１面４２０ａは、ＸＹ平面に平行な面である。区画部材４２０の第２面４２０ｂは、ＸＹ平面に平行な面である。区画部材４２０の第１面４２０ａは、区画部材４２０の第２面４２０ｂとはＺ軸方向において異なる位置に形成されている。区画部材４２０の第１面４２０ａは、区画部材４２０の第２面４２０ｂと平行である。
【０１５８】
隔壁４２は、区画４０を形成する部材である。区画部材４２０は、隔壁４２によって形成された区画４０を有している。
【０１５９】
隔壁４２は、第１面４２ａと、第２面４２ｂと、第３面４２ｃと、第４面４２ｄとを有している。
【０１６０】
隔壁４２の第１面４２ａは、ＸＹ平面に平行な面である。隔壁４２の第１面４２ａは、区画部材４２０の第１面４２０ａに含まれる。すなわち、隔壁４２の第１面４２ａは、区画部材４２０の第１面４２０ａとＺ軸方向において同じ位置に形成されている。隔壁４２の第１面４２ａは、区画部材４２０を板材１３０に接合してプレート４００を形成した場合、板材１３０の第２面１３０ｂと略平行な面である。
【０１６１】
隔壁４２の第２面４２ｂは、ＸＹ平面に平行な面である。隔壁４２の第２面４２ｂは、隔壁４２の第１面４２ａとはＺ軸方向において異なる位置に形成されている。隔壁４２の第２面４２ｂは、隔壁４２の第１面４２ａと平行である。隔壁４２の第１面４２ａは、区画部材４２０を板材１３０に接合してプレート３００を形成した場合、隔壁４２の第２面４２ｂよりもＺ軸プラス方向側に位置する。隔壁４２の第２面４２ｂは、溶着により板材１３０と接合するための面である。
【０１６２】
隔壁４２の第３面４２ｃは、隔壁４２の第１面４２ａの外縁と隔壁４２の第２面４２ｂの外縁とに沿って形成される面である。隔壁４２の第３面４２ｃは、隔壁４２の内壁面である。隔壁４２の第３面４２ｃは、区画４０を規定する面である。
【０１６３】
隔壁４２の第４面４２ｄは、隔壁４２の第１面４２ａの外縁と隔壁４２の第２面４２ｂの外縁とに沿って形成される面である。隔壁４２の第４面４２ｄは、ＹＺ平面に平行な面と、ＺＸ平面に平行な面とを含む。隔壁４２の第４面４２ｄは、隔壁４２の第３面４２ｃとは反対側の面である。隔壁４２の第４面４２ｄは、隔壁４２の外壁面である。
【０１６４】
隔壁４２の第３面４２ｃは、隔壁４２の第１面４２ａから隔壁４２の第２面４２ｂへ向かうにつれて、隔壁４２の第４面４２ｄとの距離が長くなる。隔壁４２の第３面４２ｃは、隔壁４２の第４面４２ｄに対して傾斜している。隔壁４２の第３面４２ｃは、ＹＺ平面及びＺＸ平面いずれの平面とも平行ではない。隔壁４２の第３面４２ｃと隔壁４２の第４面４２ｄとで形成される隔壁の厚みは、隔壁４２の第１面４２ａから隔壁４２の第２面４２ｂへ向かうにつれて厚くなる。
【０１６５】
区画４０の内径は、区画部材４２０の第１面４２０ａから区画部材４２０の第２面４２０ｂへ向かうにつれて短くなる。
【０１６６】
隔壁４２は、切込み４２ｅを有している。具体的には、隔壁４２は、隔壁４２の第４面４２ｄに切込み４２ｅを有している。切込み４２ｅは、Ｘ方向に沿って隔壁４２の第４面４２ｄに形成された切込みと、Ｙ方向に沿って隔壁４２の第４面４２ｄに形成された切込みとを含む。切込み４２ｅは、例えば隔壁４２の第４面４２ｄに切込みを施すことで形成される。切込み４２ｅの幅は、空隙２８の幅よりも狭い。切込み４２ｅは、空隙２８の一部として機能する。
【０１６７】
連結部４４は、隔壁４２を連結する部材である。
【０１６８】
連結部４４は、第１面４４ａと、第２面４４ｂとを有している。
【０１６９】
連結部４４の第１面４４ａは、ＸＹ平面に平行な面である。連結部４４の第１面４４ａは、区画部材４２０の第１面４２０ａに含まれる。すなわち、連結部４４の第１面４４ａは、区画部材４２０の第１面４２０ａとＺ軸方向において同じ位置に形成されている。連結部４４の第１面４４ａは、区画部材４２０を板材１３０に接合してプレート４００を形成した場合、板材１３０の第２面１３０ｂと略平行な面である。
【０１７０】
連結部４４の第２面４４ｂは、ＸＹ平面に平行な面である。連結部４４の第２面４４ｂは、連結部４４の第１面４４ａとはＺ軸方向において異なる位置に形成されている。連結部４４の第２面４４ｂは、連結部４４の第１面４４ａと平行である。連結部４４の第２面４４ｂは、隔壁４２の第２面４２ｂとＺ軸方向において異なる位置に形成されている。具体的には、連結部４４の第２面４４ｂは、Ｚ軸方向において隔壁４２の第１面４２ａと隔壁４２の第２面４２ｂとの間に形成されている。
【０１７１】
連結部４４は、切込み４４ｃを有している。具体的には、連結部４４は、連結部４４の第２面４４ｂに切込み４４ｃを有している。切込み４４ｃは、Ｘ方向に沿って連結部４４の第２面４４ｂに形成された切込みと、Ｙ方向に沿って連結部４４の第２面４４ｂに形成された切込みとを含む。切込み４４ｃは、例えば連結部４４の第２面４４ｂに切込みを施すことで形成される。切込み４４ｃの幅は、空隙２８の幅よりも狭い。切込み４４ｃは、空隙２８の一部として機能する。
【０１７２】
プレート４００は、区画部材４２０の隔壁４２と板材１３０の第１面１３０ａとにより形成されたウェル４１０を有している。ウェル４１０の内径は、ウェルの底面４１０ａへ向かうにつれて短くなる。
【０１７３】
このようなウェル４１０の形状によれば、ウェル４１０内に分注する検体の量を減らすことが可能である。
【０１７４】
なお、隔壁４２の第３面４２ｃは、平面状の斜面に代えて、曲面状の斜面としてもよい。
【０１７５】
図８は、区画部材１２０の第４の変形例である区画部材５２０を示す図である。図８（ａ）は、区画部材５２０の下面図である。図８（ｂ）は、区画部材５２０の側面図である。なお、第４の変形例の区画部材５２０が備える構成要素のうち、図１から図４に関連して説明した区画部材１２０が備える構成要素と同一の機能及び構成を有する構成要素には、同一の符号が付されている。第４の変形例の区画部材５２０の説明において、図１から図４に関連して説明した区画部材１２０が有する構成要素と同一の符号が付された構成要素については、冗長な記載を避けるため説明を省略する場合がある。
【０１７６】
区画部材５２０は、隔壁５２と、連結部２４と、補強部２６とを備えている。区画部材５２０は、第１面５２０ａと、第２面５２０ｂとを有している。区画部材５２０の第１面５２０ａは、ＸＹ平面に平行な面である。区画部材５２０の第２面５２０ｂは、ＸＹ平面に平行な面である。区画部材５２０の第１面５２０ａは、区画部材５２０の第２面５２０ｂとはＺ軸方向において異なる位置に形成されている。区画部材５２０の第１面５２０ａは、区画部材５２０の第２面５２０ｂと平行である。
【０１７７】
隔壁５２は、区画５０を形成する部材である。区画部材５２０は、隔壁５２によって形成された区画５０を有している。
【０１７８】
区画部材５２０は、第１隔壁５２−１から第２４隔壁５２−２４までの計２４個の隔壁を隔壁５２として含む。区画部材５２０は、第１隔壁５２−１から第２４隔壁５２−２４それぞれによって形成された計２４個の区画を区画５０として有している。
【０１７９】
隔壁５２は、第１面５２ａと、第２面５２ｂと、第３面５２ｃと、第４面５２ｄとを有している。
【０１８０】
隔壁５２の第１面５２ａは、ＸＹ平面に平行な面である。隔壁５２の第１面５２ａは、区画部材５２０の第１面５２０ａに含まれる。すなわち、隔壁５２の第１面５２ａは、区画部材５２０の第１面５２０ａとＺ軸方向において同じ位置に形成されている。隔壁５２の第１面５２ａは、区画部材５２０を板材１３０に接合してプレート５００を形成した場合、板材１３０の第２面１３０ｂと略平行な面である。
【０１８１】
隔壁５２の第２面５２ｂは、ＸＹ平面に平行な面である。隔壁５２の第２面５２ｂは、隔壁５２の第１面５２ａとはＺ軸方向において異なる位置に形成されている。隔壁５２の第２面５２ｂは、隔壁５２の第１面５２ａと平行である。隔壁５２の第１面５２ａは、区画部材５２０を板材１３０に接合してプレート５００を形成した場合、隔壁５２の第２面５２ｂよりもＺ軸プラス方向側に位置する。
【０１８２】
隔壁５２の第３面５２ｃは、隔壁５２の第１面５２ａの外縁と隔壁５２の第２面５２ｂの外縁とに沿って形成される面である。隔壁５２の第３面５２ｃは、ＹＺ平面に平行な面と、ＺＸ平面に平行な面とを含む。隔壁５２の第３面５２ｃは、隔壁５２の内壁面である。隔壁５２の第３面５２ｃは、区画５０を規定する面である。
【０１８３】
隔壁５２の第４面５２ｄは、隔壁５２の第１面５２ａの外縁と隔壁５２の第２面５２ｂの外縁とに沿って形成される面である。隔壁５２の第４面５２ｄは、ＹＺ平面に平行な面と、ＺＸ平面に平行な面とを含む。隔壁５２の第４面５２ｄは、隔壁５２の第３面５２ｃとは反対側の面である。隔壁５２の第４面５２ｄは、隔壁５２の外壁面である。
【０１８４】
区画部材５２０は、突起部５２ｅを有している。区画部材５２０は、隔壁５２の端部に突起部５２ｅを有している。突起部５２ｅは、隔壁５２の下端側すなわちＺ軸マイナス方向側の先端部分の一部が、突起状に形成された部位である。具体的には、突起部５２ｅは、隔壁５２の第２面５２ｂから突出した部位である。突起部５２ｅは、例えば隔壁５２の肉厚よりも径が小さい柱状の突起である。突起部５２ｅは、隔壁に複数設けられている。突起部５２ｅは、第１隔壁５２−１から第２４隔壁５２−２４までの隔壁それぞれに、複数設けられている。突起部５２ｅは、第１隔壁５２−１から第２４隔壁５２−２４までの隔壁それぞれに、隔壁の各辺上に１つずつ設けられている。突起部５２ｅは、区画部材５２０を板材１３０に溶着するための溶着部として機能する。
【０１８５】
図９は、第４の変形例の区画部材５２０を適用したプレート５００の断面図である。なお、第４の変形例の区画部材５２０を適用したプレート５００が備える構成要素のうち、図１から図４に関連して説明した区画部材１２０を適用したプレート１００が備える構成要素と同一の機能及び構成を有する構成要素には、同一の符号が付されている。第４の変形例の区画部材５２０を適用したプレート５００の説明において、図１から図４に関連して説明した区画部材１２０が有する構成要素と同一の符号が付された構成要素については、冗長な記載を避けるため説明を省略する場合がある。
【０１８６】
プレート５００は、区画部材５２０と、板材１３０と、封止部材１４０とを備えている。区画部材５２０の突起部５２ｅは、区画部材５２０と板材１３０の間に封止部材１４０が挟持された状態で板材１３０に突き当てられて、その突き当てられた箇所が溶着される。すなわち、区画部材５２０と板材１３０は、隔壁５２のＺ軸マイナス方向側の先端部分の一部である突起部５２ｅだけが溶着部として板材１３０の第１面１３０ａと溶着されることによって、スポット状に接合される。なお、突起部５２ｅの形状、サイズ、個数等は、いずれも任意に設定することができる。例えば、突起部５２ｅは、図８に示されているような円柱状ではなく、隔壁５２に沿って細長く線状に形成された突起であってもよい。突起部５２ｅの形状やサイズ、個数によって、区画部材５２０と板材１３０の接合強度を調整することもできる。
【０１８７】
封止部材１４０は、突起部５２ｅを除いた部分において区画部材５２０と板材１３０との間の隙間を封止（シール）するための部材である。封止部材１４０は、例えばシリコンゴム等の弾性素材で構成される。封止部材１４０は、例えばシート状に構成されている。封止部材１４０は、ウェル５１０の底面に対応した部分にウェル５１０の底面形状に応じた穴を有する。封止部材１４０と区画部材５２０は、これらの穴とウェル５１０の位置が一致するように位置合わせされて、板材１３０の第１面１３０ａがウェル５１０の底面となっている。
【０１８８】
封止部材１４０は、突起部５２ｅと対応した位置に、突起部５２ｅと略同一の形状及び径の穴を有する。封止部材１４０は、突起部５２ｅが穴に挿通された状態で、区画部材５２０と板材１３０の間に挟持されている。
【０１８９】
なお、封止部材１４０は、シート状のものに限られない。封止部材１４０は、例えばＯリング状のシール部材をウェル毎に設置してもよい。この場合、Ｏリングは、Ｏリングの内周に突起部５２ｅが位置するように形成してもよいし、Ｏリングの外周に突起部５２ｅが位置するように形成してもよい。
【０１９０】
封止部材１４０が弾性素材である場合、封止部材１４０の高さ（厚み）は、突起部５２ｅの突出高さ、すなわち突起部５２ｅが隔壁５２の第２面５２ｂから突出している高さよりも厚い。この場合、区画部材５２０の突起部５２ｅが封止部材１４０を介して板材１３０に突き当てられると、封止部材１４０は、区画部材５２０と板材１３０の間で押し潰された状態になる。これによって、封止部材１４０は、良好な防水性能を発揮することができる。
【０１９１】
第４の変形例の区画部材５２０を適用したプレート５００では区画部材５２０と板材１３０が突起部５２ｅでスポット状に溶着されているため、区画部材５２０と板材１３０の接合強度は、隔壁の下端面全周を溶着した場合に比べて小さくすることができる。これにより、区画部材５２０と板材１３０を溶着で接合した後、必要に応じて、突起部５２ｅに力を加えて接合を破壊し、区画部材５２０と板材１３０を分離することも可能である。例えば、後述するようにバイオチップが板材１３０の表面により支持された構成において、区画部材は、バイオチップに対して光学測定を行う場合はなくてもよい。そのため、バイオチップに対して光学測定を行う前に区画部材を板材から取り外し、板材に支持されたバイオチップに対して光学測定（観察）を行うことができる。これにより、例えば、区画部材が板材に接合されたプレートを用いてバイオチップに対する光学測定を行う場合と比較して、対物レンズをバイオチップに近付けることが可能となる。
【０１９２】
第４の変形例の区画部材５２０は、区画部材１２０と同様に、ウェルとウェルの間に空隙２８を有しているために剛性が低い。空隙２８の存在により剛性が抑制された区画部材５２０は、前述した区画部材１２０と同様に接合の際に変形可能であり、その変形によって、突起部５２ｅが板材１３０に対して確実に突き当たるようになる。そのため、区画部材５２０と板材１３０とのスポット状の溶着における接合不良を低減することが可能である。
【０１９３】
次に、第４の変形例の区画部材５２０を適用したプレート５００の製造方法を説明する。
【０１９４】
図１０は、プレート５００の製造手順を示すフローチャートである。
【０１９５】
ステップＳ５０１では、封止部材１４０が、板材１３０の第１面１３０ａ上に固定される。具体的には、封止部材１４０は、接着剤等を用いて板材１３０の第１面１３０ａに固着される。なお、封止部材１４０は、後の工程で板材１３０と区画部材５２０の間に挟持されるので、板材１３０と固着させることなく、板材１３０の第１面１３０ａに載置するようにしてもよい。ステップＳ５０１により、板材１３０は、封止部材１４０を第１面１３０ａで支持する状態となる。
【０１９６】
ステップＳ５０２では位置合わせ工程が実施される。位置合わせ工程では、区画部材５２０は、板材１３０の第１面１３０ａに支持された封止部材１４０に対して位置合わせされる。具体的には、区画部材５２０は、区画部材５２０の突起部５２ｅが封止部材１４０の突起部挿通用の穴と一致するように、封止部材１４０に対して位置が調整される。Ｓ５０２により、区画部材５２０は、封止部材１４０に対して位置合わせされた状態となる。すなわち、区画部材５２０の区画５０の位置が、封止部材１４０に設けられているウェル５１０に対応した穴の位置と合った状態となる。
【０１９７】
ステップＳ５０３では、挿通工程が実施される。挿通工程では、区画部材５２０の突起部５２ｅは、封止部材１４０の突起部挿通用穴に挿通される。ステップＳ５０２により、区画部材５２０の突起部５２ｅの先端の溶着部が板材１３０の第１面１３０ａと接触した状態となる。
【０１９８】
ステップＳ５０４では、溶着工程が実施される。溶着工程では、区画部材５２０は、区画部材５２０の突起部５２ｅ先端の溶着部が板材１３０の第１面１３０ａに接触した状態で、板材１３０に溶着される。これにより、区画部材５２０は、板材１３０と接合される。溶着には、例えば超音波溶着が適用可能である。ステップＳ５０４により、封止部材１４０が区画部材５２０と板材１３０の間に挟持されて、区画部材５２０と板材１３０と封止部材１４０が一体化されたプレート５００が完成する。
【０１９９】
上述したプレート１００、プレート２００、プレート３００、プレート４００及びプレート５００は、単一の板材に単一の区画部材を接合して形成したものであるが、プレートの構成はこれに限られず、単一の板材に複数の区画部材をそれぞれ接合して形成したものでもよい。例えば、図１に示されるような４行６列の２４個のウェルを有するプレートを構成する場合、それぞれ１２個の区画を有した２つの区画部材を１つの板材に接合することにより、４行６列の２４個のウェルを有するプレートを構成することができる。一例として、４行３列の１２個の区画を有する第１の区画部材と、４行３列の１２個の区画を有する第２の区画部材を用いることができる。他の例として、１２個の区画を有する区画部材は、例えば、４行２列と２行２列を結合したＬ字型の外形形状の区画部材や、４行１列と３行２列と２行１列を結合した階段型の外形形状の区画部材であってもよい。さらに、４行６列の２４個のウェルを有するプレートを、例えば、４行１列の４個の区画を有する第１の区画部材と、４行５列の２０個の区画を有する第２の区画部材とを用いて構成することもできる。この場合も、それぞれの区画部材は、４行５列のような構成に限られず、Ｌ字型や階段型の外形形状でもよい。さらに、４行６列の２４個のウェルを有するプレートを、３つ以上の区画部材を板材に接合することによって構成してもよい。例えば、１２個の区画を有する第１の区画部材と、８個の区画を有する第２の区画部材と、４個の区画を有する第３の区画部材とを用いて、２４個のウェルを有するプレートを構成することができる。また、各区画部材における区画の形状はそれぞれ異なっていてもよい。例えば、第１の区画部材における区画の形状を矩形とし、第２の区画部材における区画の形状を円形としてもよい。
【０２００】
図１１は、区画部材１２０の第５の変形例である区画部材６２０を適用したプレート６００を示す図である。図１１（ａ）は、区画部材６２０の上面図である。図１１（ｂ）は、区画部材６２０の断面図である。なお、図１１（ｂ）は、図１１（ａ）の切断線Ｂ−Ｂに沿ってプレート６００を切断した断面を示す。なお、第５の変形例の区画部材６２０を適用したプレート６００が備える構成要素のうち、図１から図４に関連して説明した区画部材１２０を適用したプレート１００が備える構成要素と同一の機能及び構成を有する構成要素には、同一の符号が付されている。第５の変形例の区画部材６２０を適用したプレート６００の説明において、図１から図４に関連して説明した区画部材１２０が有する構成要素と同一の符号が付された構成要素については、冗長な記載を避けるため説明を省略する場合がある。
【０２０１】
プレート６００は、区画部材６２０と、板材１３０とを備えている。
【０２０２】
区画部材６２０は、第１隔壁６２０−１と、第２隔壁６２０−２と、第３隔壁６２０−３と、第４隔壁６２０−４と、第５隔壁６２０−５と、第６隔壁６２０−６と、第７隔壁６２０−７と、第８隔壁６２０−８と、第９隔壁６２０−９と、第１０隔壁６２０−１０と、第１１隔壁６２０−１１と、第１２隔壁６２０−１２と、第１３隔壁６２０−１３と、第１４隔壁６２０−１４と、第１５隔壁６２０−１５と、第１６隔壁６２０−１６と、第１７隔壁６２０−１７と、第１８隔壁６２０−１８と、第１９隔壁６２０−１９と、第２０隔壁６２０−２０と、第２１隔壁６２０−２１と、第２２隔壁６２０−２２と、第２３隔壁６２０−２３と、第２４隔壁６２０−２４とを含む。第１隔壁６２０−１から第２４隔壁６２０−２４までの隔壁は、それぞれが独立して形成された部材である。第１隔壁６２０−１から第２４隔壁６２０−２４までの隔壁は、それぞれが別の部材である。計２４個の隔壁は、板材１３０の長辺方向において６列、板材１３０の短辺方向において４行で配列されている。第１隔壁６２０−１から第２４隔壁６２０−２４まではいずれも別体で構成されているものの、プレート６００は、計２４個の区画を有している。
【０２０３】
区画部材６２０の高さ（Ｚ軸方向における長さ）、すなわち第１隔壁６２０−１から第２４隔壁６２０−２４までの高さ（Ｚ軸方向における長さ）はいずれも、同一である。
【０２０４】
区画部材６２０は、例えば樹脂で構成されている。具体的には、区画部材６２０は、熱可塑性の樹脂で構成されている。区画部材６２０は、例えば透光性を有する部材である。具体的には、区画部材６２０は、透明な部材である。区画部材６２０に用いる樹脂として、ポリメタクリル酸メチル樹脂（ｐｏｌｙ  ｍｅｔｈｙｌ  ｍｅｔｈａｃｒｙｌａｔｅ）等のアクリル樹脂（ａｃｒｙｌｉｃ  ｒｅｓｉｎ）、ポリカーボネート（ｐｏｌｙｃａｒｂｏｎａｔｅ（ＰＣ））、環状オレフィンコポリマー（ｃｙｃｌｏｏｌｅｆｉｎ  ｃｏｐｏｌｙｍｅｒ（ＣＯＣ））、ポリスチレン（ｐｏｌｙｓｔｙｒｅｎｅ（ＰＳ））等を例示することができる。
【０２０５】
第１隔壁６２０−１から第２４隔壁６２０−２４までの隔壁はいずれも、板材１３０と同一の材料で構成することが好ましい。区画部材６２０は、板材１３０と同一の材料で構成することが好ましい。
【０２０６】
第１隔壁６２０−１から第２４隔壁６２０−２４までの隔壁はいずれも、板材１３０の第１面１３０ａに接合されている。接合には、例えば溶着による接合や、接着剤による接合が用いられる。溶着による接合の一例は、超音波溶着である。プレート６００は、第１隔壁６２０−１から第２４隔壁６２０−２４までの隔壁がそれぞれ板材１３０と接合されることによって形成されたウェル６１０を有している。ウェル６１０は、第１隔壁６２０−１から第２４隔壁６２０−２４までの隔壁がそれぞれ板材１３０と接合されることによって形成された計２４個のウェルを含む。板材１３０の第１面１３０ａは、ウェルの底面を構成する。
【０２０７】
ウェル６１０は、バイオチップを支持する。バイオチップは、例えばウェル６１０の底面６１０ａ、すなわち板材１３０の第１面１３０ａにより支持される。ウェル６１０の底面６１０ａは、バイオチップを支持するための支持領域である。ウェル６１０の底面６１０ａは、区画部材６２０、すなわち第１隔壁６２０−１から第２４隔壁６２０−２４までのそれぞれの隔壁によって範囲が規定された領域である。ウェル６１０の底面６１０ａは、略正方形の形状を有している。ただし、ウェル６１０の底面６１０ａの形状は、これに限るものではなく、例えば円形の形状であってもよい。
【０２０８】
区画部材６２０は、バイオチップを支持するための支持領域を規定するための規定部材と捉えることもできる。第１隔壁６２０−１から第６２０−２４までの隔壁はそれぞれ、第１規定部材から第２４規定部材と捉えることもできる。
【０２０９】
例えば、第１隔壁６２０−１は、第１支持領域を規定する第１規定部材であり、第２隔壁６２０−２は、第２支持領域を規定する第２規定部材である。第１規定部材は、第２規定部材とは別体の部材である。第１支持領域は、第２支持領域とは別の領域である。第１バイオチップは、第１支持領域で支持され、第１バイオチップとは別のチップである第２バイオチップは、第２支持領域で支持される。
【０２１０】
図１２は、区画部材１２０の第６の変形例である区画部材７２０を適用したプレート７００の断面図である。なお、第６の変形例の区画部材７２０を適用したプレート７００が備える構成要素のうち、図１から図４に関連して説明した区画部材１２０を適用したプレート１００が備える構成要素と同一の機能及び構成を有する構成要素には、同一の符号が付されている。第６の変形例の区画部材７２０を適用したプレート７００の説明において、図１から図４に関連して説明した区画部材１２０が有する構成要素と同一の符号が付された構成要素については、冗長な記載を避けるため説明を省略する場合がある。
【０２１１】
プレート７００は、区画部材７２０と、板材１３０とを備えている。
【０２１２】
区画部材７２０は、第１隔壁７２０−１と、第２隔壁７２０−２と、第３隔壁７２０−３と、第４隔壁７２０−４と、第５隔壁７２０−５と、第６隔壁７２０−６と、第７隔壁７２０−７と、第８隔壁７２０−８と、第９隔壁７２０−９と、第１０隔壁７２０−１０と、第１１隔壁７２０−１１と、第１２隔壁７２０−１２と、第１３隔壁７２０−１３と、第１４隔壁７２０−１４と、第１５隔壁７２０−１５と、第１６隔壁７２０−１６と、第１７隔壁７２０−１７と、第１８隔壁７２０−１８と、第１９隔壁７２０−１９と、第２０隔壁７２０−２０と、第２１隔壁７２０−２１と、第２２隔壁７２０−２２と、第２３隔壁７２０−２３と、第２４隔壁７２０−２４とを含む。第１隔壁７２０−１から第２４隔壁７２０−２４までの隔壁は、それぞれが独立して形成された部材である。第１隔壁７２０−１から第２４隔壁７２０−２４までの隔壁は、それぞれが別の部材である。計２４個の隔壁は、板材１３０の長辺方向において６列、板材１３０の短辺方向において４行で配列されている。第１隔壁７２０−１から第２４隔壁７２０−２４まではいずれも別体で構成されているものの、プレート７００は、計２４個の区画を有している。
【０２１３】
区画部材７２０の高さ（Ｚ軸方向における長さ）、すなわち第１隔壁７２０−１から第２４隔壁７２０−２４までの高さ（Ｚ軸方向における長さ）はいずれも、同一である。
【０２１４】
区画部材７２０は、例えば樹脂で構成されている。具体的には、区画部材７２０は、熱可塑性の樹脂で構成されている。区画部材７２０は、例えば透光性を有する部材である。具体的には、区画部材７２０は、透明な部材である。区画部材７２０に用いる樹脂として、ポリメタクリル酸メチル樹脂（ｐｏｌｙ  ｍｅｔｈｙｌ  ｍｅｔｈａｃｒｙｌａｔｅ）等のアクリル樹脂（ａｃｒｙｌｉｃ  ｒｅｓｉｎ）、ポリカーボネート（ｐｏｌｙｃａｒｂｏｎａｔｅ（ＰＣ））、環状オレフィンコポリマー（ｃｙｃｌｏｏｌｅｆｉｎ  ｃｏｐｏｌｙｍｅｒ（ＣＯＣ））、ポリスチレン（ｐｏｌｙｓｔｙｒｅｎｅ（ＰＳ））等を例示することができる。
【０２１５】
第１隔壁７２０−１から第２４隔壁７２０−２４までの隔壁はいずれも、板材１３０と同一の材料で構成することが好ましい。区画部材７２０は、板材１３０と同一の材料で構成することが好ましい。
【０２１６】
第１隔壁７２０−１から第２４隔壁７２０−２４までの隔壁はいずれも、板材１３０の第１面１３０ａに接合されている。接合には、例えば溶着による接合や、接着剤による接合が用いられる。溶着による接合の一例は、超音波溶着である。プレート７００は、第１隔壁７２０−１から第２４隔壁７２０−２４までの隔壁がそれぞれ板材１３０と接合されることによって形成されたウェル７１０を有している。ウェル７１０は、第１隔壁７２０−１から第２４隔壁７２０−２４までの隔壁がそれぞれ板材１３０と接合されることによって形成された計２４個のウェルを含む。板材１３０の第１面１３０ａは、ウェルの底面を構成する。
【０２１７】
ウェル７１０は、バイオチップを支持する。バイオチップは、例えばウェル７１０の底面７１０ａ、すなわち板材１３０の第１面１３０ａにより支持される。ウェル７１０の底面７１０ａは、バイオチップを支持するための支持領域である。ウェル７１０の底面７１０ａは、区画部材７２０、すなわち第１隔壁７２０−１から第２４隔壁７２０−２４までのそれぞれの隔壁によって範囲が規定された領域である。ウェル７１０の底面７１０ａは、略正方形の形状を有している。ただし、ウェル７１０の底面７１０ａの形状は、これに限るものではなく、例えば円形の形状であってもよい。
【０２１８】
区画部材７２０は、バイオチップを支持するための支持領域を規定するための規定部材と捉えることもできる。第１隔壁７２０−１から第７２０−２４までの隔壁はそれぞれ、第１規定部材から第２４規定部材と捉えることもできる。
【０２１９】
例えば、第１隔壁７２０−１は、第１支持領域を規定する第１規定部材であり、第２隔壁７２０−２は、第２支持領域を規定する第２規定部材である。第１規定部材は、第２規定部材とは別体の部材である。第１支持領域は、第２支持領域とは別の領域である。第１バイオチップは、第１支持領域で支持され、第１バイオチップとは別のチップである第２バイオチップは、第２支持領域で支持される。
【０２２０】
第１隔壁７２０−１から第７２０−２４までの隔壁はそれぞれ、２枚の壁と、連結部とを有している。
【０２２１】
第１隔壁７２０−１を例に挙げて説明する。
【０２２２】
第１隔壁７２０−１は、壁７２０−１ａと、壁７２０−１ｂと、連結部７２０−１ｃとを有している。
【０２２３】
壁７２０−１ａは、ＹＺ平面に平行な面と、ＺＸ平面に平行な面とを含む。壁７２０−１ａは、第１隔壁７２０−１の内壁である。壁７２０−１ａは、区画を形成する。
【０２２４】
壁７２０−１ｂは、ＹＺ平面に平行な面と、ＺＸ平面に平行な面とを含む。壁７２０−１ｂは、第１隔壁７２０−１の外壁である。
【０２２５】
連結部７２０−１ｃは、壁７２０−１ａと壁７２０−１ｂを連結する。連結部７２０−１ｃは、上端部（Ｚ軸プラス方向側の端部）において壁７２０−１ａと壁７２０−１ｂを連結する。壁７２０−１ａと壁７２０−１ｂは、連結部７２０ｃの下方において互いに離隔している。壁７２０−１ａと壁７２０−１ｂは、連結部７２０−１ｃを介在する分だけ離間している。空隙８８は、壁７２０−１ａと、壁７２０−１ｂと、連結部７２０−１ｃとによって囲まれた空間である。空隙８８は、区画部材７２０が板材１３０と接合された場合、壁７２０−１ａと、壁７２０−１ｂと、連結部７２０−１ｃと、板材１３０とによって囲まれた空間となる。
【０２２６】
第２隔壁７２０−２から第２４隔壁７２０−２４まではいずれも、第１隔壁７２０−１と同様の構成を有している。
【０２２７】
プレート７００は、空隙８８の存在により、区画部材７２０を板材１３０に接合した際の板材１３０の変形を抑制することができる。
【０２２８】
なお、区画部材７２０の構成は、図１２に示されたものに限られない。
【０２２９】
例えば、図５に関連して説明した空隙の構成、図６に関連して説明した空隙の構成、図７に関連して説明した空隙の構成いずれをも、区画部材７２０に適用することができる。
例えば、図８及び図９に関連して説明したように、区画部材７２０を板材１３０に溶着する溶着部を突起状の溶着部とするとともに、区画部材７２０と板材１３０の間に封止部材を設けた構成としてもよい。
【０２３０】
次に、板材１３０の変形例を説明する。
【０２３１】
図１３は、板材１３０の変形例である板材２３０を適用したプレート８００の側面図である。なお、変形例の板材２３０を適用したプレート８００が備える構成要素のうち、図１から図４に関連して説明した板材１３０を適用したプレート１００が備える構成要素と同一の機能及び構成を有する構成要素には、同一の符号が付されている。変形例の板材２３０を適用したプレート８００の説明において、図１から図４に関連して説明した板材１３０が有する構成要素と同一の符号が付された構成要素については、冗長な記載を避けるため説明を省略する場合がある。
【０２３２】
プレート８００は、区画部材１２０と、板材２３０とを備えている。
【０２３３】
板材２３０は、板状の部材である。板材２３０は、第１面２３０ａと、第２面２３０ｂと、第３面２３０ｃとを有している。
【０２３４】
板材２３０の第１面２３０ａは、ＸＹ平面に平行な面である。板材２３０の第１面２３０ａは、所望の平坦性を確保するために、例えば数ミクロンの面精度で研磨されている。
【０２３５】
板材２３０の第２面２３０ｂは、ＸＹ平面に平行な面である。板材２３０の第２面２３０ｂは、板材２３０の第１面２３０ａとはＺ軸方向において異なる位置に形成されている。板材２３０の第２面２３０ｂは、板材２３０の第１面２３０ａと平行である。板材２３０の第１面２３０ａは、区画部材１２０を板材２３０に接合した場合、板材２３０の第２面２３０ｂよりもＺプラス方向側に位置する。板材２３０の第２面２３０ｂは、所望の平坦性を確保するために、例えば数ミクロンの面精度で研磨されている。板材２３０の第２面２３０ｂは、区画部材１２０を板材２３０に接合してプレート８００を形成した場合、区画部材１２０の第１面１２０ａと略平行な面である。
【０２３６】
板材２３０の第３面２３０ｃは、板材２３０の第１面２３０ａの外縁と板材２３０の第２面２３０ｂの外縁とに沿って形成された面である。板材２３０の第３面２３０ｃは、ＹＺ平面に平行な面と、ＺＸ平面に平行な面とを含む。
【０２３７】
板材２３０は、溝部３９０を有している。
【０２３８】
溝部３９０は、板材２３０の第３面２３０ｃに形成されている。溝部３９０は、例えば板材の第３面２３０ｃのうちＹＺ平面に平行な面である２つの面にそれぞれ設けられている。溝部３９０は、複数の溝を含む。複数の溝はそれぞれ、Ｙ方向に沿って形成されている。
【０２３９】
溝部３９０を有する板材２３０は、溝部を有していない板材と比較して、Ｚ軸方向における摩擦係数が大きくなる。そのため、例えばロボットアーム等の搬送装置は、プレート８００の溝部３９０を把持することで、プレート８００を安定して搬送することができる。
【０２４０】
板材２３０は、例えば樹脂で構成されている。具体的には、板材２３０は、熱可塑性の樹脂で構成されている。板材２３０は、例えば透光性を有する部材である。具体的には、板材２３０は、透明な部材である。板材２３０に用いる樹脂として、ポリメタクリル酸メチル樹脂（ｐｏｌｙ  ｍｅｔｈｙｌ  ｍｅｔｈａｃｒｙｌａｔｅ）等のアクリル樹脂（ａｃｒｙｌｉｃ  ｒｅｓｉｎ）、ポリカーボネート（ｐｏｌｙｃａｒｂｏｎａｔｅ（ＰＣ））、環状オレフィンコポリマー（ｃｙｃｌｏｏｌｅｆｉｎ  ｃｏｐｏｌｙｍｅｒ（ＣＯＣ））、ポリスチレン（ｐｏｌｙｓｔｙｒｅｎｅ（ＰＳ））を例示することができる。
【０２４１】
プレート８００は、区画部材１２０と板材２３０とを同一の材料を用いて構成することが望ましい。
【０２４２】
なお、プレート８００は区画部材１２０と板材２３０で構成したが、区画部材１２０に代えて、図５に関連して説明した区画部材２２０と、図６に関連して説明した区画部材３２０と、図７に関連して説明した区画部材４２０と、図８及び図９に関連して説明した区画部材５２０と、図１１に関連して説明した区画部材６２０と、図１２に関連して説明した区画部材７２０とのいずれの区画部材を適用してもよい。
【０２４３】
次に、本発明の第２の実施形態を説明する。第２の実施形態は、バイオチップを有するプレートに関する。
【０２４４】
図１４は、本発明の第２の実施形態に係るプレート９００の断面図である。プレート９００は、区画部材１２０と、板材１３０と、バイオチップ１５０と、保護部材１６０とを備えている。
【０２４５】
ウェル１１０の上面側開口を被覆している、バイオチップ用の保護部材１６０とを備えている。
【０２４６】
バイオチップ１５０は、ＤＮＡや蛋白質などの生体分子を基板上に固定したチップである。バイオチップ１５０は、板材１３０の第１面１３０ａに支持される。具体的には、バイオチップ１５０は、板材１３０の第１面１３０ａに固定される。より具体的には、バイオチップ１５０は、光硬化性接着剤等の接着剤を用いて板材１３０の第１面１３０ａに固着される。このように、バイオチップ１５０は、ウェル１１０の内部に保持される。
【０２４７】
保護部材１６０は、ウェル１１０を保護する。具体的には、保護部材１６０は、ウェル１１０の内部に保持されたバイオチップ１５０をウェル１１０の外部から保護する。より具体的には、保護部材１６０は、ウェル１１０の開口を被覆することで、ウェル１１０の内部に保持されたバイオチップ１５０をウェル１１０の外部から保護する。これにより、バイオチップ１５０は、バイオチップ１５０使用前に汚染しないように保護部１６０により保護されている。保護部材１６０は、例えばフィルムで構成される。
【０２４８】
分注を行う場合、被測定試料である検体が、分注器を用いてウェル１１０内に分注される。保護部材１６０がフィルムで構成されている場合、分注器のノズル等によって保護部材１６０を突き破って分注を行うことができる。そのため、バイオチップ１５０は、分注直前まで清浄な状態に保つことができる。分注後、プレート９００を揺動させることなどにより、バイオチップ１５０上の生体分子と検体に含まれる標的とを反応させる。この反応工程が終わると、保護部材１６０がプレート９００から取り外され、不要な検体を除去するためにプレート９００は洗浄される。その後、各ウェル１１０内のバイオチップ１５０に対して、蛍光測定等が実施される。
【０２４９】
なお、プレート９００は、保護部材１６０を有しない構成としてもよい。
【０２５０】
なお、前述した第４の変形例による区画部材５２０を適用したプレート５００（図９）に、バイオチップと保護部材を組み合わせることもできる。この場合には、保護部材をウェル１１０（又は区画部材５２０）から剥がすのではなく、区画部材５２０を板材１３０から分離することによって、保護部材も区画部材５２０と一緒に取り外すことができる。
【０２５１】
次に、第２の実施形態に係るプレート９００の製造方法を説明する。
【０２５２】
図１５は、プレート９００の製造手順を示すフローチャートである。
【０２５３】
ステップＳ９０１では、溶着工程が実施される。溶着工程では、区画部材１２０の溶着部２２ｂである各隔壁２２の下端面全周は、板材１３０の第１面１３０ａと溶着される。これにより、区画部材１２０は、板材１３０と接合される。溶着には、例えば超音波溶着が適用可能である。
【０２５４】
ステップＳ９０２では、バイオチップ１５０は、板材１３０の第１面１３０ａに支持される。バイオチップ１５０は、板材１３０の第１面１３０ａに載置され、接着剤等を用いて板材１３０の第１面１３０ａに固着される。一例として、バイオチップ１５０は、光硬化性接着剤を介して板材１３０の第１面１３０ａに載置され、板材１３０の第２面１３０ｂ側から光を照射して光硬化性接着剤を硬化させることで板材１３０の第１面１３０ａに固着される。
【０２５５】
ステップＳ９０３では、保護部材１６０が取り付けられる。保護部材１６０は、バイオチップ１５０が支持された各ウェル１１０の開口を覆うように、区画部材１２０の第１面１２０ａに取り付けられる。保護部材１６０の取り付けには、例えば、後で保護部材１６０を区画部材１２０から剥がすことができる程度の粘着力を有した粘着剤を用いることが好適である。
【０２５６】
以上により、バイオチップ１５０を有したプレート９００が完成する。なお、図１５に関連して説明した製造方法は、次に述べるプレート１０００を製造する方法として同様に適用可能である。
【０２５７】
図１６は、第２の実施形態の変形例によるプレート１０００の断面図である。プレート１０００は、区画部材１２０と、板材１３０と、バイオチップ１５０とを備えている。プレート１０００は、バイオチップ１５０が、板材１３０の第１面１３０ａではなく、板材１３０の第２面１３０ｂに取り付けられている点でプレート９００と異なる。
【０２５８】
板材１３０は、第１面１３０ａに区画部材１２０が接合されている。板材１３０は、第１面１３０ａと反対側の面である第２面１３０ｂにバイオチップ１５０を有している。バイオチップ１５０は、板材１３０の第２面１３０ｂ上において、板材１３０の第１面１３０ａに接合された区画部材１２０の区画２０に対応する位置に支持されている。
【０２５９】
バイオチップ１５０は、例えば、光硬化性接着剤によって板材１３０に固着されている。バイオチップ１５０は、バイオチップ１５０の裏面（板材１３０に固着される面）に光硬化性接着剤を塗布した状態で板材１３０の第２面１３０ｂ上に載置される。板材１３０は、透光性を有する部材である。バイオチップ１５０は、板材１３０の第１面１３０ａ側から光を照射して光硬化性接着剤を硬化させることによって、板材１３０の第２面１３０ｂに固着される。ここで、区画部材１２０は透光性を有しない材料で構成される。これにより、区画部材１２０の隔壁２２は、光硬化性接着剤が塗布されたバイオチップ１５０の裏面に向けて光が選択的に照射されるようにする役割を果たす。
【０２６０】
なお、プレート１０００のバイオチップ１５０に検体を反応させる場合、板材１３０の第２面１３０ｂにそれぞれのバイオチップ１５０を区画するような別の区画部材を設置した上で、当該区画部材によって形成された各バイオチップ１５０に対応する区画内に検体を分注するという方法をとることができる。
【０２６１】
第２の実施形態として説明したプレート９００及びプレート１０００においては、区画部材１２０に代えて、図５に関連して説明した区画部材２２０と、図６に関連して説明した区画部材３２０と、図７に関連して説明した区画部材４２０と、図８及び図９に関連して説明した区画部材５２０と、図１１に関連して説明した区画部材６２０と、図１２に関連して説明した区画部材７２０とのいずれの区画部材を適用してもよく、また、板材１３０に代えて、図１３に関連して説明した板材２３０を適用してもよい。さらに、区画部材の変形例と板材の変形例を適宜組み合わせてもよい。また、それらの変形例によるプレートは、図１５で説明したプレート９００の製造方法と同様の方法を適用して製造することができる。
【０２６２】
図１７は、バイオチップを有する上述のプレート９００に対してスクリーニング処理を実施するためのスクリーニング装置１１００の概略構成図である。図１７において、Ｚ軸方向が鉛直方向であり、ＸＹ平面が水平面である。スクリーニング装置１１００は、分注装置１１２０と、洗浄・乾燥装置１１３０と、検出装置１１４０と、搬送ロボット１１５０とを備えて構成される。分注装置１１２０、洗浄・乾燥装置１１３０、及び検出装置１１４０の３つの装置は、この順にＸ軸方向に横に並んで配置されている。
【０２６３】
分注装置１１２０は、プレート９００に対して分注をするための装置である。上述したとおり、プレート９００には複数のウェルが設けられており、各ウェルの底面にはバイオチップが取り付けられている。分注装置１１２０は、水平方向（Ｘ方向）に可動する搬送ステージ１１２１と、搬送ステージ１１２１の上方に配置された分注ノズル１１２２を備えている。プレート９００は水平状態で搬送ステージ１１２１上に載置されて、搬送ステージ１１２１によって分注ノズル１１２２の下方の指定位置まで搬送される（図１７中に１Ａで示す）。水平状態とは、プレート９００の主面が水平面に平行となって、ウェルの開口が鉛直上方を向いた状態である。上記指定位置において、プレート９００の各ウェル内へ分注ノズル１１２２から液状の検体が分注される。分注ノズル１１２２は、例えば図１７に示されるように、プレート９００のウェルと同じ間隔でウェルの一列分と同じ数のノズルがライン状に設けられた構成とすることができる。このようなライン状の分注ノズルを用いる場合、一列分のウェルに対して一括で分注を行い、順次、隣の列へと分注を進めていく方法をとることができる。また、プレート９００の全ウェルと同数のノズルがウェルと同じ配列で格子状に設けられた分注ノズルを用いて、１つのプレート９００の全ウェルに対して一括で分注を行うことができる構成としてもよい。更に、ノズルを１つだけ有した分注ノズルを用いて、ウェルの１つ１つに順次分注を行っていく構成としてもよい。
【０２６４】
バイオチップの表面には、検体に含まれ得る様々な標的分子（以下、標的という）と特異的に反応する特定の生体分子が固定されている。この生体分子と検体内の標的との反応を促進させるため、搬送ステージ１１２１によってプレート９００を揺動させたり、プレート９００を反応が好適に進行する適度な温度まで加熱したりしてもよい。その後、プレート９００は、搬送ステージ１１２１によって洗浄・乾燥装置１１３０に近い位置（下流側）まで搬送される。
【０２６５】
洗浄・乾燥装置１１３０は、分注後のプレート９００を、検出装置１１４０での処理に備えて洗浄・乾燥するための装置である。洗浄・乾燥装置１１３０は、洗浄部１１３１と乾燥部１１３２と搬送部１１３３を備え、乾燥部１１３２は、洗浄部１１３１の上方（＋Ｚ方向）に配置される。例えば、図示されるように、洗浄・乾燥装置１１３０は、分注装置１１２０の搬送ステージ１１２１の水平高さよりも低い位置に、洗浄部１１３１が下側、乾燥部１１３２が上側となるように配置されて構成される。分注後に分注装置１１２０の下流端へ搬送されたプレート９００は、例えば洗浄・乾燥装置１１３０の上方（＋Ｚ方向）に設置された搬送ロボット１１５０のロボットアーム（不図示）によって把持され、洗浄・乾燥装置１１３０へ受け渡される。このとき、搬送ロボット１１５０のロボットアームは、分注装置１１２０の搬送ステージ１１２１上に載置されているプレート９００を水平状態で掴み取り、把持したプレート９００を９０°回転させて直立状態としてから、洗浄・乾燥装置１１３０の搬送部１１３３に当該直立状態のプレート９００をセットする（図１７中に１Ｂで示す）。直立状態とは、プレート９００の主面が水平面に垂直となって、ウェルの開口が真横を向いた状態である。図１７の例では、プレート９００は、図１７中に１Ａで示した水平状態から図１７中のＹ軸を回転軸として時計回り又は反時計回りに９０°回転して、図１７中に１Ｂで示す直立状態となっている。即ち、プレート９００は、ウェルの開口が図１７中の＋Ｘ（右）方向又は−Ｘ（左）方向を向いた状態となっている。
【０２６６】
洗浄・乾燥装置１１３０は、搬送部１１３３にセットされた直立状態のプレート９００を、まず洗浄部１１３１まで下方に（−Ｚ方向に）搬送して洗浄部１１３１において洗浄処理し、次に乾燥部１１３２まで上方に（＋Ｚ方向に）搬送して乾燥部１１３２において乾燥処理する。プレート９００は下方に搬送される際に一旦乾燥部１１３２を通過することになるが、この時には乾燥部１１３２は作動させない。プレート９００は、搬送部１１３３によって直立状態に保持されたまま順次上記のように洗浄処理と乾燥処理を受け、その後、搬送部１１３３により洗浄・乾燥装置１１３０の上部（図１７中に１Ｂで示す位置）へと搬送される。
【０２６７】
検出装置１１４０は、洗浄されたプレート９００上のバイオチップに対して、上述した生体分子と標的との親和性を検出するための測定を行う装置である。検出装置１１４０は、バイオチップを撮像して検査画像を生成する撮像装置１１４１と、撮像時にプレート９００を載置するための検査ステージ１１４２を備えている。撮像装置１１４１は、光源、光学系（レンズ等）、及びカメラを含んで構成される。上述のように洗浄・乾燥後に洗浄・乾燥装置１１３０の上部へと搬送されたプレート９００は、搬送ロボット１１５０のロボットアームによって把持され、検出装置１１４０へ受け渡される。このとき、搬送ロボット１１５０のロボットアームは、洗浄・乾燥装置１１３０の搬送部１１３３に直立状態で保持されているプレート９００を掴み取って、そのプレート９００を９０°回転させ水平状態として検出装置１１４０の検査ステージ１１４２へ搭載する。検査ステージ１１２０へ搭載されたプレート９００は、検査ステージ１１４２によって撮像装置１１４１の撮像エリア（図１７中に１Ｃで示す）まで搬送され、測定にかけられる。
【０２６８】
検出装置１１４０による測定は、例えば、バイオチップ上の生体分子が発する蛍光を撮像装置１１４１のカメラで撮像することによって行うことができる。バイオチップ上の生体分子は、検体中の標的と特異的に反応した箇所のみが、光源からの光を照射した時に蛍光を発する。よって、バイオチップを撮像して得られる検査画像は、標的と反応した生体分子に対応する位置が蛍光により明るくなった画像となる。この画像、即ち蛍光の位置と明るさを画像解析することによって、検体中の標的がバイオチップ上のどの生体分子に対して親和性を有しているかを検出することができる。
【０２６９】
図１８は、スクリーニング装置１１００によるスクリーニング方法を示すフローチャートである。
【０２７０】
まず、分注装置１１２０において分注工程が実施される（ステップＳ１１１０）。例えば、スクリーニング装置１１００の操作者であるオペレータが、検査対象のプレート９００を分注装置１１２０の搬送ステージ１１２１にセットし、スクリーニング装置１１００の動作を制御する制御用コンピュータ（不図示）に開始コマンドを入力することによって、分注工程が開始される。分注工程が開始されると、分注装置１１２０は、制御用コンピュータの制御に従って、セットされたプレート９００を搬送ステージ１１２１で指定分注位置まで搬送し、プレート９００の各ウェル内へ分注ノズル１１２２から検体を分注していく。分注後、搬送ステージ１１２１はプレート９００を下流側へ搬送する。
【０２７１】
次に、洗浄・乾燥装置１１３０において洗浄・乾燥工程が実施される（ステップＳ１１２０）。この工程については後述する。なお、検査対象のプレートが上述した第１の実施形態の第４の変形例によるプレート５００のように区画部材５２０と板材１３０を再分離可能な構造の場合には、洗浄・乾燥工程後に、例えばオペレータが手作業でプレート５００から区画部材５２０を取り外す取り外し工程を実施するようにしてもよい。
【０２７２】
洗浄・乾燥工程が終わると、次に、検出装置１１４０において検出工程が実施される（ステップＳ１１３０）。検出装置１１４０は、搬送ロボット１１５０から洗浄・乾燥工程により洗浄・乾燥されたプレート９００を受け取り、制御用コンピュータの制御に従ってプレート９００上のバイオチップ１５０の測定を行う。具体的には、検出装置１１４０は、撮像装置１１４１によってプレート９００上の各バイオチップ１５０を撮像して、各バイオチップ１５０の検査画像を生成する。そして、検出装置１１４０は、検査画像を解析することによって、バイオチップ１５０上の生体分子と検体に含まれていた標的との親和性を検出する。この検査結果は、例えば、制御用コンピュータ内の記憶部に電子データとして記憶するようにすることができる。なお、オペレータが、例えば、撮像装置１１４１のカメラで捉えた画像をモニタ画面で観察したり、バイオチップ１５０を顕微鏡で直接観察したりする等によって、観察工程を実施するようにしてもよい。
【０２７３】
図１９は、洗浄・乾燥装置１１３０における洗浄・乾燥工程を示すフローチャートである。
【０２７４】
まず、搬送ロボット１１５０が、制御用コンピュータの制御に従ってロボットアームを駆動させることにより、分注装置１１２０の搬送ステージ１１２１上に水平状態で載置されている分注後のプレート９００をロボットアームで掴み取り、把持したプレート９００を９０°回転させて直立状態とする（ステップＳ１１２１）。更に、搬送ロボット１１５０は、制御用コンピュータの制御に従ってロボットアームを駆動させ、その直立状態のプレート９００を洗浄・乾燥装置１１３０の搬送部１１３３にセットする。
【０２７５】
次に、洗浄・乾燥装置１１３０は、制御用コンピュータの制御に従って搬送部１１３３を駆動させることにより、搬送部１１３３にセットされたプレート９００を洗浄部１１３１まで下方に搬送する（ステップＳ１１２２）。なお、この時制御用コンピュータは、プレート９００が乾燥部１１３２を一旦通過する際に洗浄前のプレート９００に乾燥風があたらないよう、乾燥部１１３２を駆動停止状態に制御する。
【０２７６】
次に、洗浄・乾燥装置１１３０は、制御用コンピュータの制御に従って洗浄部１１３１を駆動させることにより、プレート９００に対して洗浄工程を実施する（ステップＳ１１２３）。洗浄部１１３１は、洗浄ノズル（不図示）から洗浄液を霧状にして噴射したり、又は間欠的に噴射したりする等、適宜の方法を用いてプレート９００の洗浄を実施する。また、例えば、制御用コンピュータは、洗浄部１１３１に対して洗浄液の噴射制御を行うのに併せて、プレート９００を上下動させるように搬送部１１３３を制御することによって、洗浄液をプレート９００全体に満遍無く行き渡らせて洗浄の残滓が生じないようにしてもよい。
【０２７７】
次に、洗浄・乾燥装置１１３０は、制御用コンピュータの制御に従って搬送部１１３３を駆動させることにより、洗浄後のプレート９００を乾燥部１１３２まで上方に搬送する（ステップＳ１１２４）。
【０２７８】
次に、洗浄・乾燥装置１１３０は、制御用コンピュータの制御に従って乾燥部１１３２を駆動させることにより、プレート９００に対して乾燥工程を実施する（ステップＳ１１２５）。乾燥完了後、制御用コンピュータの制御に従って搬送部１１３３がプレート９００を洗浄・乾燥装置１１３０の上面へと搬送する。
【０２７９】
次に、搬送ロボット１１５０が、制御用コンピュータの制御に従ってロボットアームを駆動させることにより、乾燥が完了して洗浄・乾燥装置１１３０の搬送部に保持されているプレート９００を直立状態で掴み取り、把持したプレート９００を９０°回転させて水平状態とする（ステップＳ１１２６）。
【０２８０】
次に、搬送ロボット１１５０は、制御用コンピュータの制御に従ってロボットアームを駆動させ、その水平状態のプレート９００を検出装置１１４０へ受け渡す（ステップＳ１１２７）。
【０２８１】
なお、プレート９００を対象としてスクリーニング装置１１００及びスクリーニング方法を説明したが、本スクリーニング装置１１００及びスクリーニング方法は、第２の実施形態とその変形例に係る、バイオチップ１５０を備えた任意のプレートに対しても同様に適用することができる。
【０２８２】
以上、本発明の実施形態を説明したが、本発明はこれに限定されず、その要旨を逸脱しない範囲内において様々な変更が可能である。
【０２８３】
また、本発明の他の実施形態に係るプレートは、相対する２つの面に開口を有する複数のウェルが配列されてなるウェルアレイ（区画部材）と、前記ウェルの一方の開口側において各ウェルに共通な底面をなすように前記ウェルアレイに取り付けられた透明な底板（板材）と、を備え、前記ウェルアレイのそれぞれのウェルが、当該ウェルを取り囲むウェル壁（隔壁）によって区画された空間として形成され、それぞれの前記ウェル壁が、前記ウェルの他方の開口側において隣のウェル壁と連結し、前記ウェルの前記底面側において他のウェル壁から離隔している、マルチウェルプレートであってもよい。
【０２８４】
更に、上記マルチウェルプレートにおいて、前記ウェルアレイと前記底板が超音波溶着されていてもよい。
【０２８５】
更に、上記マルチウェルプレートにおいて、前記ウェルアレイと前記底板が、前記ウェル壁の全周にわたって超音波溶着されていてもよい。
【０２８６】
更に、上記マルチウェルプレートにおいて、前記ウェル壁と前記底板との間に挟持された弾性シール材を備え、前記ウェルアレイと前記底板が、前記ウェル壁の周上においてスポット状に超音波溶着されていてもよい。
【０２８７】
更に、上記マルチウェルプレートにおいて、前記ウェル内の前記底面上に固定されたバイオチップと、前記ウェルの前記他方の開口を被覆する前記バイオチップの保護用カバーと、を備えてもよい。
【符号の説明】
【０２８８】
２２  隔壁
２２ｆ  溶着部
２４  連結部
２６  補強部
２８  空隙
３５  溶着部
１００、２００、３００、４００、５００、６００、７００、８００、９００、１０００
プレート
１１０  ウェル
１２０、２２０、３２０、４２０、５２０、６２０、７２０  区画部材
１３０、２３０  板材
１４０  封止部材
１５０  バイオチップ
１６０  保護部材
３９０  溝部
１１００  スクリーニング装置
１１２０  分注装置
１１３０  洗浄・乾燥装置
１１４０  検出装置
【図１】
2018023973.tif 000003
【図２】
2018023973.tif 000004
【図３】
2018023973.tif 000005
【図４】
2018023973.tif 000006
【図５】
2018023973.tif 000007
【図６】
2018023973.tif 000008
【図７】
2018023973.tif 000009
【図８】
2018023973.tif 000010
【図９】
2018023973.tif 000011
【図１０】
2018023973.tif 000012
【図１１】
2018023973.tif 000013
【図１２】
2018023973.tif 000014
【図１３】
2018023973.tif 000015
【図１４】
2018023973.tif 000016
【図１５】
2018023973.tif 000017
【図１６】
2018023973.tif 000018
【図１７】
2018023973.tif 000019
【図１８】
2018023973.tif 000020
【図１９】
2018023973.tif 000021